(57)【要約】【課題】店舗におけるオペレーションの効率化を図ることを可能とする。【解決手段】第１登録部１０２及び第２登録部１０３は、第１利用者の店舗に対する順番待ちを示す第１順番待ち情報及び第１利用者以外の第２利用者の店舗に対する順番待ちを示す第２順番待ち情報を含む複数の順番待ち情報を登録する。管理部１０４は、登録された第１順番待ち情報によって示される順番待ちに関する問い合わせを利用者端末に送信する。管理部１０４は、問い合わせに対する応答として、第１利用者が店舗に到着するまでの時間を示す到着予定情報を利用者端末から受信する。表示処理部１０５は、受信された到着予定情報に基づいて複数の順番待ち情報が並び替えられた結果を店舗端末に表示する。【選択図】図３
2020003842.tif 000002
【特許請求の範囲】
【請求項１】
第１利用者によって使用される第１利用者端末と前記第１利用者が順番待ちをすることが可能な店舗に設けられる店舗端末と通信可能に接続される情報管理装置において、
前記第１利用者の前記店舗に対する順番待ちを示す第１順番待ち情報及び前記第１利用者以外の第２利用者の前記店舗に対する順番待ちを示す第２順番待ち情報を含む複数の順番待ち情報を登録する登録手段と、
前記登録された第１順番待ち情報によって示される順番待ちに関する問い合わせを前記第１利用者端末に送信する送信手段と、
前記問い合わせに対する応答として、前記第１利用者が前記店舗に到着するまでの時間を示す到着予定情報を前記第１利用者端末から受信する受信手段と、
前記受信された到着予定情報に基づいて前記登録された複数の順番待ち情報が並び替えられた結果を前記店舗端末に表示する表示処理手段と
を具備する情報管理装置。
【請求項２】
前記表示処理手段は、前記登録された複数の順番待ち情報が並び替えられた結果として、当該並び替えられた複数の順番待ち情報のうちの少なくとも先頭に位置する順番待ち情報を表示する請求項１記載の情報管理装置。
【請求項３】
前記到着予定情報によって示される時間に基づいて前記第１利用者が前記店舗に到着する到着予定時刻を算出する第１算出手段を更に具備し、
前記複数の順番待ち情報は、前記算出された到着予定時刻及び前記第２順番待ち情報によって示される順番待ちにおける入店予定時刻に基づいて並び替えられる
請求項１記載の情報管理装置。
【請求項４】
前記第１順番待ち情報によって示される順番待ちをしている第１利用者よりも先に前記店舗に入店することになる他の利用者の順番待ちを示す順番待ち情報の数に基づいて入店予定時刻を算出する第２算出手段を更に具備し、
前記算出された到着予定時刻が前記算出された入店予定時刻よりも前である場合、前記複数の順番待ち情報は、前記算出された入店予定時刻及び前記第２順番待ち情報によって示される順番待ちにおける入店予定時刻に基づいて並び替えられ、
前記算出された到着予定時刻が前記算出された入店予定時刻よりも後である場合、前記複数の順番待ち情報は、前記算出された到着予定時刻及び前記第２順番待ち情報によって示される順番待ちにおける入店予定時刻に基づいて並び替えられる
請求項３記載の情報管理装置。
【請求項５】
前記登録手段は、前記第１利用者によって指定された入店予定時刻を含む第１順番待ち情報を登録し、
前記算出された到着予定時刻が前記第１順番待ち情報に含まれる入店予定時刻よりも前である場合、前記複数の順番待ち情報は、前記第１順番待ち情報に含まれる入店予定時刻及び前記第２順番待ち情報によって示される順番待ちにおける入店予定時刻に基づいて並び替えられ、
前記算出された到着予定時刻が前記第１順番待ち情報に含まれる入店予定時刻よりも後である場合、前記複数の順番待ち情報は、前記算出された到着予定時刻及び前記第２順番待ち情報によって示される順番待ちにおける入店予定時刻に基づいて並べ替えられる
請求項３記載の情報管理装置。
【請求項６】
前記第２順番待ち情報によって示される順番待ちが前記店舗に設けられている店舗端末からの順番待ちである場合、当該第２順番待ち情報によって示される順番待ちにおける入店予定時刻は、当該順番待ちをしている第２利用者よりも先に前記店舗に入店することになる他の利用者の順番待ちを示す順番待ち情報の数に基づいて算出される請求項３〜５のいずれか一項に記載の情報管理装置。
【請求項７】
前記第２利用者によって使用される第２利用者端末と更に通信可能に接続され、
前記送信手段は、前記第２順番待ち情報によって示される順番待ちが前記第２利用者によって利用される第２利用者端末からの順番待ちである場合、当該順番待ちに関する問い合わせを前記第２利用者端末に送信し、
前記受信手段は、前記第２利用者端末に送信された問い合わせに対する応答として、前記第２利用者が前記店舗に到着するまでの時間を示す到着予定情報を前記第２利用者端末から受信し、
前記第１算出手段は、前記第２利用者端末から受信された到着予定情報によって示される時間に基づいて前記第２利用者が前記店舗に到着する到着予定時刻を算出し、
前記第２順番待ち情報によって示される順番待ちにおける入店予定時刻は、前記算出された前記第２利用者が前記店舗に到着する到着予定時刻である
請求項３〜５のいずれか一項に記載の情報管理装置。
【請求項８】
前記登録手段は、前記第２利用者によって指定された入店予定時刻を含む第２順番待ち情報を登録し、
前記第２順番待ち情報によって示される順番待ちにおける入店予定時刻は、前記第２順番待ち情報に含まれる入店予定時刻である
請求項３〜５のいずれか一項に記載の情報管理装置。
【請求項９】
前記表示処理手段は、前記受信された到着予定情報を前記店舗端末に表示し、
前記到着予定情報によって示される時間は、時間の経過に応じて減少するように更新されて前記店舗端末に表示される
請求項１〜８のいずれか一項に記載の情報管理装置。
【請求項１０】
第１利用者によって使用される利用者端末と前記第１利用者が順番待ちをすることが可能な店舗に設けられる店舗端末と通信可能に接続される情報管理装置が実行する情報管理方法であって、
前記第１利用者が前記店舗に対する順番待ちを示す第１順番待ち情報及び前記第１利用者以外の第２利用者の前記店舗に対する順番待ちを示す第２順番待ち情報を含む複数の順番待ち情報を登録するステップと、
前記登録された第１順番待ち情報によって示される順番待ちに関する問い合わせを前記利用者端末に送信するステップと、
前記問い合わせに対する応答として、前記第１利用者が前記店舗に到着するまでの時間を示す到着予定情報を前記利用者端末から受信するステップと、
前記受信された到着予定情報に基づいて前記登録された複数の順番待ち情報が並び替えられた結果を前記店舗端末に表示するステップと
を具備する情報管理方法。
【請求項１１】
第１利用者によって使用される利用者端末と前記第１利用者が順番待ちをすることが可能な店舗に設けられる店舗端末と通信可能に接続される情報管理装置のコンピュータによって実行されるプログラムであって、
前記コンピュータに、
前記第１利用者が前記店舗に対する順番待ちを示す第１順番待ち情報及び前記第１利用者以外の第２利用者の前記店舗に対する順番待ちを示す第２順番待ち情報を含む複数の順番待ち情報を登録するステップと、
前記登録された第１順番待ち情報によって示される順番待ちに関する問い合わせを前記利用者端末に送信するステップと、
前記問い合わせに対する応答として、前記第１利用者が前記店舗に到着するまでの時間を示す到着予定情報を前記利用者端末から受信するステップと、
前記受信された到着予定情報に基づいて前記登録された複数の順番待ち情報が並び替えられた結果を前記店舗端末に表示するステップと
を実行させるためのプログラム。
【発明の詳細な説明】
【技術分野】
【０００１】
本発明は、情報管理装置、情報管理方法及びプログラムに関する。
【背景技術】
【０００２】
一般に、飲食店等の店舗を利用する利用者は、当該店舗に来店した時点で当該店舗が満席の状態にある場合、当該店舗が利用可能となるまで順番待ちをする必要がある。
【０００３】
ところで、順番待ちをしている利用者が店舗から離れた場所にいる場合、利用者の順番が到来したことを当該利用者が把握することは困難である。
【０００４】
これに対して、例えば利用者が所持する端末装置に順番が近づいたことを案内メッセージで通知することが可能なシステムが開示されている。このようなシステムによれば、利用者は、店舗から離れた場所にいたとしても順番待ちの状況を容易に把握することができる。
【先行技術文献】
【特許文献】
【０００５】
【特許文献１】特開２０１２−００５０１２号公報
【発明の概要】
【発明が解決しようとする課題】
【０００６】
しかしながら、上記したシステムにおいては一方的に案内メッセージで通知するのみであり、店舗側で利用者に関する情報を事前に把握することができれば、当該店舗でのオペレーションの効率化に有用である。
【０００７】
そこで、本発明の目的は、店舗におけるオペレーションの効率化を図ることが可能な情報管理装置、情報管理方法及びプログラムを提供することにある。
【課題を解決するための手段】
【０００８】
本発明の１つの態様によれば、第１利用者によって使用される第１利用者端末と前記第１利用者が順番待ちをすることが可能な店舗に設けられる店舗端末と通信可能に接続される情報管理装置が提供される。前記情報管理装置は、登録手段と、送信手段と、受信手段と、表示処理手段とを具備する。前記登録手段は、前記第１利用者の前記店舗に対する順番待ちを示す第１順番待ち情報及び前記第１利用者以外の第２利用者の前記店舗に対する順番待ちを示す第２順番待ち情報を含む複数の順番待ち情報を登録する。前記送信手段は、前記登録された第１順番待ち情報によって示される順番待ちに関する問い合わせを前記第１利用者端末に送信する。前記受信手段は、前記問い合わせに対する応答として、前記第１利用者が前記店舗に到着するまでの時間を示す到着予定情報を前記第１利用者端末から受信する。前記表示処理手段は、前記受信された到着予定情報に基づいて前記登録された複数の順番待ち情報が並び替えられた結果を前記店舗端末に表示する。
【発明の効果】
【０００９】
本発明は、店舗におけるオペレーションの効率化を図ることを可能とする。
【図面の簡単な説明】
【００１０】
【図１】本発明の実施形態に係る情報管理装置を備える情報管理システムの構成の一例を示す図。
【図２】情報管理装置のハードウェア構成の一例を示す図。
【図３】情報管理装置の機能構成の一例を示すブロック図。
【図４】第１店舗端末からの順番待ちを示す順番待ち情報を登録する際の情報管理システムの処理手順の一例を示すシーケンスチャート。
【図５】入店予定時刻が指定されていない利用者端末からの順番待ちを示す順番待ち情報を登録する際の情報管理システムの処理手順の一例を示すシーケンスチャート。
【図６】入店予定時刻が指定されている利用者端末からの順番待ちを示す順番待ち情報を登録する際の情報管理システムの処理手順の一例を示すシーケンスチャート。
【図７】格納部に登録された順番待ち情報のデータ構造の一例を示す図。
【図８】第２店舗端末に順番待ち情報を表示する際の情報管理システムの処理手順の一例を示すシーケンスチャート。
【図９】スタッフ画面生成処理の処理手順の一例を示すフローチャート。
【図１０】第２店舗端末に表示されるスタッフ画面の一例を示す図。
【図１１】通知機能に関する情報管理装置の処理手順の一例を示すフローチャート。
【図１２】通知及び第１問い合わせが表示された利用者端末の画面例を示す図。
【図１３】第２問い合わせが表示された利用者端末の画面例を示す図。
【図１４】到着予定情報を含むスタッフ画面の一例を示す図。
【図１５】スタッフ画面において並び替えボタンが押下された際の情報管理装置の処理手順の一例を示すフローチャート。
【図１６】並び替えボタンが押下された後に第２店舗端末に表示されるスタッフ画面の一例を示す図。
【発明を実施するための形態】
【００１１】
以下、図面を参照して、本発明の実施形態について説明する。  
図１は、本実施形態に係る情報管理装置を備える情報管理システム（ネットワークシステム）の構成を示す。情報管理システムは、各種店舗（施設）における利用者の順番待ちを管理するためのシステムである。なお、本実施形態において、店舗には、例えば飲食店、薬局、病院、美容院、旅行代理店、スマートフォンまたは携帯電話の購入及び契約が可能なショップ、及びアミューズメント施設等が含まれる。すなわち、本実施形態における店舗は、当該店舗を利用者が利用するために順番待ちが可能な店舗であればよい。
【００１２】
図１に示すように、情報管理システムは、情報管理装置１０、第１店舗端末２０、第２店舗端末３０及び利用者端末４０を備える。なお、情報管理装置１０は、第１店舗端末２０、第２店舗端末３０及び利用者端末４０とそれぞれインターネットのようなネットワーク５０を介して通信可能に接続されている。
【００１３】
情報管理装置１０は、店舗における利用者の順番待ちを管理するための機能を有するサーバ装置である。なお、情報管理装置１０の機能構成については後述する。
【００１４】
第１店舗端末２０及び第２店舗端末３０は、順番待ちが可能な店舗に設けられている。第１店舗端末２０は、例えば店舗の入り口（つまり、店頭）付近に設置され、主に店舗に来店する利用者（利用客）によって使用される。利用者は、例えば店舗に来店した時点で店舗が満席の状態にある場合、第１店舗端末２０を操作することによって当該店舗において順番待ちをすることができる。
【００１５】
第２店舗端末３０は、例えば店舗のレジ付近に設置され、主に店舗のスタッフ（従業員等）によって使用される。店舗のスタッフは、第２店舗端末３０において順番待ちの状況等を確認することができる。
【００１６】
本実施形態においては、第１店舗端末２０及び第２店舗端末３０が異なる端末であるものとして説明するが、当該第１店舗端末２０及び第２店舗端末３０は一体として構成されていてもよい。
【００１７】
利用者端末４０は、例えば店舗を利用する利用者によって使用される端末である。利用者端末４０には、例えばスマートフォン、タブレット端末及びフィーチャーフォン等の携帯端末（利用者によって所持される端末）が含まれる。利用者端末４０は、例えば店舗以外の場所から店舗に対する順番待ちをするために用いられる。
【００１８】
なお、図１においては便宜的に第１店舗端末２０、第２店舗端末３０及び利用者端末４０がそれぞれ１つずつ示されているが、情報管理装置１０には、複数の第１店舗端末２０及び第２店舗端末３０が接続されていてもよいし、複数の利用者端末４０が接続されていてもよい。具体的には、情報管理装置１０には、例えば情報管理システムを導入している店舗と少なくとも同数の第１店舗端末２０及び第２店舗端末３０が接続される。また、情報管理装置１０には、例えば情報管理システムに予め登録されている利用者と少なくとも同数の利用者端末４０が接続される。
【００１９】
図２は、図１に示す情報管理装置１０のハードウェア構成の一例を示す。図２に示すように、情報管理装置１０においては、バス１１に、不揮発性メモリ１２、ＣＰＵ１３、メインメモリ１４及び通信部１５等が接続されている。なお、不揮発性メモリ１２及びメインメモリ１４は、情報管理装置１０の記憶装置を構成する。
【００２０】
不揮発性メモリ１２は、例えばオペレーティングシステム（ＯＳ）及び上記した店舗における順番待ちを管理するためのプログラム（以下、順番管理プログラムと表記）を含む各種プログラムを格納する。
【００２１】
ＣＰＵ１３は、例えば不揮発性メモリ１２に格納されている各種プログラムを実行するプロセッサである。なお、ＣＰＵ１３は、情報管理装置１０全体の制御を実行する。
【００２２】
メインメモリ１４は、例えばＣＰＵ１３が各種プログラムを実行する際に必要とされるワークエリア等として使用される。
【００２３】
通信部１５は、インターネット等のネットワーク５０を介して例えば第１店舗端末２０、第２店舗端末３０及び利用者端末４０等の外部装置と実行される通信を制御する機能を有する。なお、通信部１５によれば、例えば無線ＬＡＮ及びＷｉｆｉ（登録商標）等の無線通信機能を実現することができる。
【００２４】
図２においては不揮発性メモリ１２及びメインメモリ１４のみが示されているが、情報管理装置１０は、例えばＨＤＤ（Hard Disk Drive）及びＳＳＤ（Solid State Drive）等の他の記憶装置を備えていてもよい。
【００２５】
図３は、本実施形態に係る情報管理装置１０の主として機能構成の一例を示すブロック図である。図３に示すように、情報管理装置１０は、受付部１０１、第１登録部１０２、第２登録部１０３、管理部１０４、表示処理部１０５及び格納部１０６等を含む。
【００２６】
本実施形態において、各部１０１〜１０５は、例えば図２に示すＣＰＵ１３（つまり、情報管理装置１０のコンピュータ）が不揮発性メモリ１２に格納されている順番管理プログラムを実行すること（つまり、ソフトウェア）により実現されるものとする。なお、この順番管理プログラムは、コンピュータ読み取り可能な記憶媒体に予め格納して頒布可能である。また、この順番管理プログラムは、例えばネットワークを介して情報管理装置１０にダウンロードされても構わない。
【００２７】
ここでは、各部１０１〜１０５がソフトウェアにより実現されるものとして説明したが、当該各部１０１〜１０５は、ハードウェアにより実現されてもよいし、ソフトウェア及びハードウェアの組み合わせによって実現されてもよい。
【００２８】
また、本実施形態において、格納部１０６は、例えば図２に示す不揮発性メモリ１２または他の記憶装置等に格納される。
【００２９】
受付部１０１は、第１店舗端末２０に対する複数の利用者の各々の操作に基づいて、当該第１店舗端末２０からの店舗に対する順番待ちを受け付ける。また、受付部１０１は、利用者端末４０に対する利用者の操作に基づいて、当該利用者端末４０からの店舗に対する順番待ちを受け付ける。なお、受付部１０１によって受け付けられる利用者端末４０からの順番待ちには、後述するように入店予定時刻が指定されていない順番待ちと入店予定時刻が指定されている順番待ち（将来順番待ち）とが含まれる。受付部１０１は、第２店舗端末３０からの店舗に対する順番待ちを受け付けることも可能である。
【００３０】
第１登録部１０２は、受付部１０１によって第１店舗端末２０からの順番待ちが受け付けられた場合、当該順番待ちを示す順番待ち情報を格納部１０６に登録（格納）する。なお、上記したように第２店舗端末３０からの順番待ちが受け付けられた場合には、第１登録部１０２は、当該順番待ちを示す順番待ち情報を格納部１０６に登録する。
【００３１】
第２登録部１０３は、受付部１０１によって利用者端末４０からの順番待ちが受け付けられた場合、当該順番待ちを示す順番待ち情報を格納部１０６に登録（格納）する。
【００３２】
なお、上記した順番待ち情報は、当該順番待ち情報によって示される順番待ちが受け付けられた順に格納部１０６に格納される。
【００３３】
管理部１０４は、例えば第２店舗端末３０からの要求に応じて、格納部１０６に格納された順番待ち情報を表示するための画面（以下、スタッフ画面と表記）を生成する。
【００３４】
なお、スタッフ画面において、例えば第１店舗端末２０からの順番待ちを示す順番待ち情報（以下、店舗順番待ち情報と表記）及び入店予定時刻が指定されていない利用者端末４０からの順番待ちを示す順番待ち情報（以下、第１Ｗｅｂ順番待ち情報と表記）は、当該順番待ちが受け付けられた順に表示される。一方、入店予定時刻が指定されている利用者端末４０からの順番待ちを示す順番待ち情報（以下、第２Ｗｅｂ順番待ち情報と表記）は、店舗における順番待ちにおいて当該入店予定時刻（を含む所定期間内）に店舗に入店可能となる（店舗を利用可能となる）ように複数の店舗順番待ち情報及び第１Ｗｅｂ順番待ち情報の間に挿入されて表示される。
【００３５】
表示処理部１０５は、管理部１０４によって生成されたスタッフ画面を第２店舗端末３０に送信し、当該スタッフ画面を第２店舗端末３０に表示する。
【００３６】
以下、本実施形態に係る情報管理装置１０の動作について説明する。まず、図４のシーケンスチャートを参照して、第１店舗端末２０からの順番待ちを示す順番待ち情報（店舗順番待ち情報）を登録する際の情報管理システムの処理手順について説明する。ここでは、第１店舗端末２０から順番待ちをする利用者を対象利用者と称する。
【００３７】
まず、対象利用者が第１店舗端末２０（及び第２店舗端末３０）が設けられている店舗に来店した場合を想定する。この場合、第１店舗端末２０には、対象利用者の店舗に対する順番待ちを受け付けるための受付画面が表示されている（ステップＳ１）。なお、この受付画面は、例えば第１店舗端末２０上で動作するブラウザを介して表示されている。
【００３８】
図４においては省略されているが、ステップＳ１において表示されている受付画面（の画面データ）は、例えば情報管理装置１０に含まれる管理部１０４によって生成され、表示処理部１０５によって第１店舗端末２０に表示される。以下の説明において、第１店舗端末２０、第２店舗端末３０及び利用者端末４０に表示される各種画面についても同様である。
【００３９】
ここで、例えば対象利用者が店舗に来店した時点で店舗が満席の状態にある場合、対象利用者は、第１店舗端末２０に表示されている受付画面に対する操作を行う。なお、例えば店舗の利用者の数等を把握するために、満席の状態でない場合であっても受付画面に対する操作を利用者に行わせるようにしてもよい。
【００４０】
第１店舗端末２０は例えばタッチパネルを備えており、対象利用者は、当該タッチパネルを介して、受付画面において例えば順番待ちの後に店舗に入店する人数を入力（指定）することができる。
【００４１】
なお、本実施形態における受付画面においては少なくとも人数を入力することができるものであればよいが、当該受付画面は、例えば対象利用者の氏名、電話番号または店舗に対する要望等を入力することができるようなものであってもよい。なお、店舗が飲食店等である場合には、当該店舗に対する要望として、例えば対象利用者が利用する席の種別としてテーブル席、カウンター席または座敷等を選択することができる。また、禁煙席または喫煙席を選択することができるようにしてもよい。
【００４２】
ここでは店舗が飲食店である場合を想定しているが、店舗が他の業種または業態のものである場合には、受付画面において当該業種または業態に応じた他の情報が入力されても構わない。
【００４３】
また、受付画面においては、後述する第２店舗端末３０に表示されるスタッフ画面と同様に、順番待ちの状況（順番待ち情報の一覧）が表示されてもよい。
【００４４】
また、受付画面において人数を入力することができるものとして説明したが、誤操作を防止するために、当該受付画面において例えば「受付」ボタン等が一旦押下された後に人数を入力することができるようにしてもよい。
【００４５】
上記したように受付画面に対して対象利用者が人数を入力した場合、第１店舗端末２０は、対象利用者によって入力された人数を取得する（ステップＳ２）。
【００４６】
第１店舗端末２０は、取得された人数を含む順番待ちの受付要求を、ネットワーク５０を介して情報管理装置１０に送信する（ステップＳ３）。
【００４７】
情報管理装置１０に含まれる受付部１０１は、第１店舗端末２０によって送信された順番待ちの受付要求を受信する。これにより、受付部１０１は、第１店舗端末２０が設けられている店舗に対する順番待ちを受け付ける。
【００４８】
次に、第１登録部１０２は、受付部１０１によって受け付けられた順番待ちを登録するために、当該順番待ちを示す順番待ち情報を生成する（ステップＳ４）。
【００４９】
ここで、ステップＳ４の処理について説明する。まず、受付部１０１によって順番待ちが受け付けられた場合、第１登録部１０２は、当該順番待ちに対して受付番号を発行する。この受付番号は、例えば店舗の営業開始から順番待ちが受け付けられる度に連番で発行される。なお、受付番号は、営業日が変わればリセットされるものとする。
【００５０】
また、第１登録部１０２は、例えば現在時刻を登録時刻として取得する。登録時刻は、順番待ちが受け付けられた（登録された）時刻として用いられる。なお、この登録時刻（現在時刻）は、例えば情報管理装置１０内のクロック等から取得される。
【００５１】
また、第１登録部１０２は、順番待ちの経路の情報を取得する。ここでは、受付要求が第１店舗端末２０から受信されているため、第１登録部１０２は、経路の情報として第１店舗端末２０からの順番待ちであることを示す「店舗」を取得する。
【００５２】
これにより、第１登録部１０２は、受付部１０１によって受信された受付要求に含まれる人数に加えて、上記した受付番号、登録時刻及び経路を含む順番待ち情報を生成する。
【００５３】
上記したようにステップＳ４において生成された順番待ち情報は、第１登録部１０２によって格納部１０６に格納される（ステップＳ５）。
【００５４】
ステップＳ５において順番待ち情報が登録されると、当該登録が完了した旨の通知（以下、登録完了通知と表記）が情報管理装置１０から第１店舗端末２０に送信される（ステップＳ６）。なお、登録完了通知には、登録された順番待ち情報に含まれる受付番号等が含まれる。
【００５５】
ここで、第１店舗端末２０には、印刷装置が内蔵されているものとする。これにより、第１店舗端末２０においては、情報管理装置１０から送信された登録完了通知（に含まれる受付番号）が受信され、印刷装置によって当該受付番号が印刷された順番待ちカードが発券される（ステップＳ７）。
【００５６】
なお、上記した登録完了通知には、受付番号の他に、登録時刻等の情報が含まれていてもよい。この場合、登録時刻等を順番待ちカードに印刷することが可能となる。
【００５７】
対象利用者は、発券された順番待ちカードに印刷されている受付番号に基づいて店舗のスタッフに呼び出されることによって、当該店舗に入店することができる。
【００５８】
次に、図５のシーケンスチャートを参照して、入店予定時刻が指定されていない利用者端末４０からの順番待ちを示す順番待ち情報（第１Ｗｅｂ順番待ち情報）を登録する際の情報管理システムの処理手順について説明する。ここでは、利用者端末４０から順番待ちをする利用者を対象利用者と称する。
【００５９】
まず、対象利用者が利用者端末４０から順番待ちをする場合、当該対象利用者は、所定のＷｅｂページ（サイト）において当該対象利用者に割り当てられているログインＩＤ及びパスワード（以下、対象利用者のログインＩＤ及びパスワードと表記）を入力することによって情報管理システム（情報管理装置１０）にログインする（ステップＳ１１）。
【００６０】
なお、対象利用者のログインＩＤ及びパスワードは、対象利用者が例えば会員登録等を行う際に設定され、会員情報として情報管理装置１０において管理されているものとする。図５においては示されていないが、利用者端末４０においてログインＩＤ及びパスワードが入力された場合、当該ログインＩＤ及びパスワードが利用者端末４０から情報管理装置１０に送信され、当該ログインＩＤ及びパスワードが情報管理装置１０において管理されている対象利用者のログインＩＤ及びパスワードと一致する場合に、対象利用者はログインすることができる。
【００６１】
上記した会員情報には、対象利用者のログインＩＤ及びパスワード以外に、例えば会員名及びメールアドレス等が含まれる。
【００６２】
ステップＳ１１において情報管理システムにログインした場合、対象利用者は、利用者端末４０を操作することによって、入店予定時刻を指定しない順番待ちをするか入店予定時刻を指定する順番待ちをするかを選択することができる。
【００６３】
入店予定時刻を指定しない順番待ちをすることが選択された場合、利用者端末４０には、順番待ちの後に店舗に入店する人数を入力することが可能な画面（以下、第１入力画面と表記）が表示される。対象利用者は、利用者端末４０を操作することによって、この第１入力画面において人数を入力する。
【００６４】
なお、上記した受付画面と同様に、利用者端末４０に表示される第１入力画面は、例えば対象利用者の氏名、電話番号または店舗に対する要望等を入力することができるようなものであってもよい。
【００６５】
上記したように第１入力画面に対して対象利用者が人数を入力した場合、利用者端末４０は、対象利用者によって入力された人数を取得する（ステップＳ１２）。
【００６６】
ステップＳ１２の処理が実行されると、利用者端末４０は、当該ステップＳ１２において取得された人数を含む順番待ちの受付要求を、ネットワーク５０を介して情報管理装置１０に送信する（ステップＳ１３）。
【００６７】
情報管理装置１０に含まれる受付部１０１は、利用者端末４０によって送信された順番待ちの受付要求を受信する。これにより、受付部１０１は、店舗に対する順番待ちを受け付ける。
【００６８】
次に、第２登録部１０３は、受付部１０１によって受け付けられた順番待ちを登録するために、当該順番待ちを示す順番待ち情報を生成する（ステップＳ１４）。
【００６９】
この場合、第２登録部１０３は、例えば現在時刻を登録時刻として取得する。更に、第２登録部１０３は、上記した順番待ちの経路の情報を取得する。ここでは、入店予定時刻を含まない受付要求が利用者端末４０から受信されているため、第２登録部１０３は、経路の情報として、入店予定時刻が指定されていない利用者端末４０からの順番待ちであることを示す「Ｗｅｂ１」を取得する。
【００７０】
また、利用者端末４０からの順番待ちの場合、第２登録部１０３は、対象利用者の氏名（会員名）を取得してもよい。なお、対象利用者の氏名は、上記したように会員登録の際に情報管理装置１０内に登録されているものとする。具体的には、対象利用者の氏名は、対象利用者のログインＩＤ及びパスワードとともに会員情報として登録されており、ステップＳ１１の処理時に入力されるログインＩＤ及びパスワードに基づいて取得可能である。
【００７１】
これにより、第２登録部１０３は、受付部１０１によって受信された受付要求に含まれる人数に加えて、上記した受付番号、登録時刻、経路及び氏名を含む順番待ち情報を生成する。
【００７２】
上記したようにステップＳ１４において生成された順番待ち情報は、第２登録部１０３によって格納部１０６に登録される（ステップＳ１５）。
【００７３】
ステップＳ１５において順番待ち情報が登録されると、当該登録が完了した旨の通知（登録完了通知）が情報管理装置１０から利用者端末４０に送信される（ステップＳ１６）。なお、この登録完了通知には、登録された順番待ち情報に含まれる受付番号等が含まれる。
【００７４】
ステップＳ１６において送信された登録完了通知が利用者端末４０において受信された場合、利用者端末４０は、当該登録完了通知に含まれる受付番号を表示することができる（ステップＳ１７）。なお、登録完了通知は、利用者端末４０（例えば、スマートフォン等）上で動作する例えばメッセージアプリケーション等におけるＰｕｓｈ通知により利用者端末４０に表示（通知）されてもよい。また、登録完了通知は、上記した会員登録等を行う際に設定された対象利用者のメールアドレスを用いてメールで送信されて、利用者端末４０に表示されてもよい。
【００７５】
利用者端末４０に表示された受付番号は、上記した第１店舗端末２０からの順番待ちにおける順番待ちカードに印刷された受付番号と同様の役割を有する。
【００７６】
なお、上記した登録完了通知には、受付番号の他に、登録時刻等の情報が含まれていてもよい。この場合、登録時刻等を利用者端末４０に表示することが可能となる。
【００７７】
このように入店予定時刻が指定されていない利用者端末４０からの順番待ちにおいては、対象利用者は、店舗に来店することなく順番待ちを開始することができる。この場合、対象利用者は、順番待ちの最後尾に並んだ状態と同視できる。よって、対象利用者は、利用者端末４０からの順番待ち（を示す順番待ち情報）が登録された後に店舗に来店し、利用者端末４０に表示される受付番号に基づいて店舗のスタッフに呼び出されることによって、当該店舗に入店することができる。
【００７８】
次に、図６のシーケンスチャートを参照して、入店予定時刻が指定されている利用者端末４０からの順番待ちを示す順番待ち情報（第２Ｗｅｂ順番待ち情報）を登録する際の情報管理システムの処理手順について説明する。
【００７９】
まず、図５に示すステップＳ１１に処理に相当するステップＳ２１の処理が実行される。ステップＳ２１において情報管理システムにログインした場合、対象利用者は、利用者端末４０を操作することによって、入店予定時刻を指定しない順番待ちをするか入店予定時刻を指定する順番待ちをするかを選択することができる。
【００８０】
入店予定時刻を指定する順番待ちをすることが選択された場合、利用者端末４０は、対象利用者が指定することが可能な入店予定時刻に関する問い合わせを情報管理装置１０に送信する（ステップＳ２２）。この場合、情報管理装置１０は、格納部１０６に格納されている順番待ち情報に基づいて、他の利用者によって入店予定時刻が指定されていない時間帯（の情報）を、利用者端末４０からの問い合わせに対する応答として当該利用者端末４０に送信する（ステップＳ２３）。
【００８１】
情報管理装置１０からの応答が受信されると、利用者端末４０には、店舗に入店する人数及び入店予定時刻を入力することが可能な画面（以下、第２入力画面と表記）が表示される。第２入力画面は、入店予定時刻を入力することができる点以外は上記した第１入力画面と同様であるため、その詳しい説明を省略する。第２入力画面においては、例えば他の利用者によって入店予定時刻が指定されていない時間帯において入店予定時刻を入力することができるものとする。
【００８２】
なお、例えば予め定められた数の入店予定時刻の指定がされていない時間帯であれば、他の利用者と同一の入店予定時刻（時間帯）を指定できるようにしてもよい。
【００８３】
第２入力画面に対して対象利用者が人数及び入店予定時刻を入力した場合、利用者端末４０は、対象利用者によって入力された人数及び入店予定時刻を取得する（ステップＳ２４）。
【００８４】
ステップＳ２４の処理が実行されると、利用者端末４０は、当該ステップＳ２４において取得された人数及び入店予定時刻を含む受付要求を、ネットワーク５０を介して情報管理装置１０に送信する（ステップＳ２５）。
【００８５】
情報管理装置１０に含まれる受付部１０１は、利用者端末４０によって送信された順番待ちの受付要求を受信する。これにより、受付部１０１は、店舗に対する順番待ちを受け付ける。
【００８６】
次に、第２登録部１０３は、受付部１０１によって受け付けられた順番待ちを登録するために、当該順番待ちを示す順番待ち情報を生成する（ステップＳ２６）。
【００８７】
ここで、ステップＳ２６の処理について説明する。まず、上記した店舗順番待ち情報及び第１Ｗｅｂ順番待ち情報（によって示される順番待ち）の場合、順番待ちをしている利用者は受付番号順に呼び出される。このため、図４及び図５に示す処理においては、店舗順番待ち情報及び第１Ｗｅｂ順番待ち情報を生成する際に受付番号を発行する。
【００８８】
これに対して、第２Ｗｅｂ順番待ち情報（入店予定時刻が指定されている利用者端末４０からの順番待ちを示す順番待ち情報）では対象利用者が入店予定時刻に店舗に入店することが可能となるように順番待ちが管理（調整）されるが、この場合の対象利用者は、受付番号で呼び出されてもよいし、当該対象利用者の氏名で呼び出されてもよい。
【００８９】
すなわち、対象利用者が受付番号で呼び出される場合に受付番号が発行されるが、当該対象利用者が氏名で呼び出される場合には受付番号は発行されなくてもよい。
【００９０】
なお、第２Ｗｅｂ順番待ち情報の生成において受付番号が発行される場合において、店舗順番待ち情報及び第１Ｗｅｂ順番待ち情報を生成する際に発行される受付番号と同様に順番待ちが受け付けられる度に（つまり、登録時刻順に）連番で発行される番号を受付番号とすると、上記したように順番待ちが調整された（つまり、並び替えられた）際に混乱を生じる可能性がある。このため、第２Ｗｅｂ順番待ち情報の生成において受付番号が発行される場合、当該受付番号は、店舗順番待ち情報及び第１Ｗｅｂ順番待ち情報を生成する際に発行される受付番号とは区別可能な番号としてもよい。
【００９１】
以下の説明においては、入店予定時刻が指定されている利用者端末４０からの順番待ちをする利用者は氏名で呼び出されるものとする。
【００９２】
ステップＳ２６において、第２登録部１０３は、例えば現在時刻を登録時刻として取得する。更に、第２登録部１０３は、上記した順番待ちの経路の情報を取得する。ここでは、入店予定時刻を含む受付要求が利用者端末４０から受信されているため、第２登録部１０３は、経路の情報として、入店予定時刻が指定されている利用者端末４０からの順番待ちであることを示す「Ｗｅｂ２」を取得する。
【００９３】
また、上記したように対象利用者を氏名で呼び出す場合、第２登録部１０３は、会員登録の際に情報管理装置１０内に登録された当該対象利用者の氏名を取得する。
【００９４】
これにより、第２登録部１０３は、受付部１０１によって受信された受付要求に含まれる人数及び入店予定時刻に加えて、上記した登録時刻、経路及び氏名を含む順番待ち情報を生成する。
【００９５】
ステップＳ２６において生成された順番待ち情報は、第２登録部１０３によって格納部１０６に登録される（ステップＳ２７）。
【００９６】
ステップＳ２７において順番待ち情報が登録されると、当該登録が完了した旨の通知（登録完了通知）が情報管理装置１０から利用者端末４０に送信される（ステップＳ２８）。なお、この登録完了通知には、登録された順番待ち情報に含まれる入店予定時刻（対象利用者によって入力された入店予定時刻）が含まれる。
【００９７】
ステップＳ２８において送信された登録完了通知が利用者端末４０において受信された場合、利用者端末４０は、当該登録完了通知に含まれる入店予定時刻を表示することができる（ステップＳ２９）。なお、登録完了通知は、利用者端末４０上で動作する例えばメッセージアプリケーション等におけるＰｕｓｈ通知により利用者端末４０に表示（通知）されてもよい。また、登録完了通知は、対象利用者のメールアドレスを用いてメールで送信されて、利用者端末４０に表示されてもよい。
【００９８】
なお、上記した登録完了通知には、入店予定時刻の他に、登録時刻等の情報が含まれていてもよい。この場合、登録時刻等を利用者端末４０に表示することが可能となる。
【００９９】
入店予定時刻が指定されている利用者端末４０からの順番待ちの場合、対象利用者は、ステップＳ２９において表示された入店予定時刻に店舗に来店し、例えば順番待ち情報に含まれる氏名で店舗のスタッフに呼び出されることによって、当該店舗に入店することができる。
【０１００】
なお、上記したように受付番号が発行される場合、対象利用者は、当該受付番号で呼び出される。この場合、ステップＳ２８において送信される登録完了通知には受付番号が含まれており、対象利用者は、利用者端末４０に当該受付番号を表示して確認することができるものとする。
【０１０１】
ここで、図７は、上記した図４〜図６の処理が実行されることによって格納部１０６に登録された順番待ち情報のデータ構造の一例を示す。
【０１０２】
図７に示す例では、格納部１０６には、順番待ち情報１０６ａ〜１０６ｆが格納（登録）されている。図７に示すように、順番待ち情報１０６ａ〜１０６ｆは、受付番号、人数、入店予定時刻、登録時刻、経路及び氏名を含む。
【０１０３】
順番待ち情報１０６ａ〜１０６ｆに含まれる受付番号、人数、入店予定時刻、登録時刻、経路及び氏名については、上記した通りであるため、ここではその詳しい説明を省略する。
【０１０４】
なお、順番待ち情報１０６ａ〜１０６ｆは、情報管理装置１０（受付部１０１）によって順番待ちが受け付けられた順（つまり、登録時刻順）に格納されている。
【０１０５】
順番待ち情報１０６ａ〜１０６ｆのうち、経路「店舗」を含む順番待ち情報１０６ａ、１０６ｄ、１０６ｅ及び１０６ｆは、第１店舗端末２０からの順番待ちを示す順番待ち情報（店舗順番待ち情報）である。店舗順番待ち情報には、上記したように受付番号、人数、登録時刻及び経路が含まれている。
【０１０６】
また、順番待ち情報１０６ａ〜１０６ｆのうち、経路「Ｗｅｂ１」を含む順番待ち情報１０６ｃは、入店予定時刻が指定されていない利用者端末４０からの順番待ちを示す順番待ち情報（第１Ｗｅｂ順番待ち情報）である。第１Ｗｅｂ順番待ち情報には、上記したように受付番号、人数、登録時刻、経路及び氏名が含まれている。
【０１０７】
また、順番待ち情報１０６ａ〜１０６ｆのうち、経路「Ｗｅｂ２」を含む順番待ち情報１０６ｂは、入店予定時刻が指定されている利用者端末４０からの順番待ちを示す順番待ち情報（第２Ｗｅｂ順番待ち情報）である。第２Ｗｅｂ順番待ち情報には、上記したように人数、入店予定時刻、登録時刻、経路及び氏名が含まれている。
【０１０８】
ここで、本実施形態においては第２店舗端末３０に順番待ちの状況（つまり、順番待ち情報）を表示することが可能であるが、図７に示す順番待ち情報１０６ａ〜１０６ｆをそのまま表示した場合には、店舗のスタッフは、第２Ｗｅｂ順番待ち情報（順番待ち情報１０６ｃ）によって示される順番待ちを登録した利用者をどのタイミングで入店させるのかを容易に把握することができない。
【０１０９】
このため、本実施形態においては、第２Ｗｅｂ順番待ち情報に含まれる入店予定時刻に基づいて格納部１０６に格納されている順番待ち情報の順番を並べ替えて表示する処理を実行する。
【０１１０】
図８のシーケンスチャートを参照して、第２店舗端末３０に順番待ち情報を表示する際の情報管理システムの処理手順について説明する。
【０１１１】
第２店舗端末３０に順番待ち情報を表示する場合、当該第２店舗端末３０から情報管理装置１０に上記したスタッフ画面の表示（または更新）が要求される（ステップＳ３１）。このステップＳ３１の処理は、例えば店舗のスタッフによる第２店舗端末３０に対する操作が行われた場合、または予め定められた期間、第２店舗端末３０に対する操作が行われなかった場合に実行される。
【０１１２】
管理部１０４は、第２店舗端末３０からの要求に応じて、格納部１０６に格納（登録）されている順番待ち情報を取得する（ステップＳ３２）。なお、ステップＳ３２においては、格納部１０６に格納されている順番待ち情報のうち、まだ店舗に案内されていない利用者の順番待ちを示す順番待ち情報（以下、未案内の順番待ち情報と表記）が取得される。すなわち、既に店舗に案内された利用者の順番待ちを示す順番待ち情報（以下、案内済みの順番待ち情報と表記）はスタッフ画面に表示する必要がないため、ステップＳ３２においては取得されない。図７に示す順番待ち情報のデータ構造においては省略されているが、未案内の順番待ち情報であるか、案内済みの順番待ち情報であるかを示す情報（つまり、順番待ちのステータス）は、各順番待ち情報に含まれているものとする。
【０１１３】
次に、管理部１０４は、ステップＳ３２において取得された順番待ち情報を表示するためのスタッフ画面を生成する処理（以下、スタッフ画面生成処理と表記）を実行する（ステップＳ３３）。
【０１１４】
なお、スタッフ画面において、上記したように第２Ｗｅｂ順番待ち情報（入店予定時刻が指定されている順番待ち）は、順番待ちが受け付けられた順に登録されている順番待ち情報（店舗順番待ち情報及び第１Ｗｅｂ順番待ち情報）の間に挿入されて表示される。スタッフ画面生成処理及び当該スタッフ画面生成処理によって生成されるスタッフ画面の詳細については後述する。
【０１１５】
表示処理部１０５は、ステップＳ３３の処理が実行されることによって生成されたスタッフ画面を表示するための画面データを第２店舗端末３０に送信する（ステップＳ３４）。
【０１１６】
第２店舗端末３０は、表示処理部１０５によって送信された画面データを受信する。これにより、第２店舗端末３０においては、スタッフ画面が表示される（ステップＳ３５）。なお、このスタッフ画面は、例えば第２店舗端末３０上で動作するブラウザを介して表示される。
【０１１７】
次に、図９のフローチャートを参照して、上記したスタッフ画面生成処理（図８に示すステップＳ３３の処理）の処理手順について説明する。
【０１１８】
まず、管理部１０４は、現在時刻を取得する（ステップＳ４１）。この現在時刻は、例えば情報管理装置１０に内蔵されているクロック等から取得することが可能である。
【０１１９】
次に、図８に示すステップＳ３２において取得された順番待ち情報のうちの店舗順番待ち情報及び第１Ｗｅｂ順番待ち情報の各々についてステップＳ４２〜Ｓ４４の処理が実行される。以下、この処理の対象となる順番待ち情報を対象順番待ち情報と称する。また、対象順番待ち情報によって示される順番待ちをしている利用者を対象利用者と称する。
【０１２０】
この場合、管理部１０４は、図８に示すステップＳ３２において取得された順番待ち情報のうちの対象順番待ち情報よりも登録時刻が早い順番待ち情報（店舗順番待ち情報及び第１Ｗｅｂ順番待ち情報）の数、つまり、対象利用者の前に順番待ちをしている利用者（対象利用者よりも先に店舗に入店することになる他の利用者）の組の数に、対象利用者（の組）を加えた待ち組数をカウントする（ステップＳ４２）。なお、ここで待ち組数としてカウントされる利用者（の組）は、まだ店舗に案内されていない利用者であるものとする。利用者が店舗に案内された場合の処理については後述する。
【０１２１】
ここで、本実施形態においては、順番待ちをしている１組の利用者が入店することができるまでの時間（以下、単位待ち時間と表記）が予め設定されている。この場合、管理部１０４は、この予め設定されている単位待ち時間にステップＳ４２においてカウントされた待ち組数を乗算することによって、対象利用者が店舗に入店する（つまり、店舗を利用する）ことができるための時間（以下、待ち時間と表記）を算出する（ステップＳ４３）。
【０１２２】
なお、単位待ち時間は、情報管理装置１０（情報管理システム）側で店舗毎に設定されていればよい。単位待ち時間は、例えば店舗の業種及び業態に応じた利用客数及び回転率等に従って設定される。しかしながら、店舗の状況等によっては単位時間を店舗側で修正したい場合がある。この場合、単位待ち時間は、店舗のスタッフによる第２店舗端末３０に対する操作に応じて一時的に補正することができるようにしてもよい。
【０１２３】
ここでは単位待ち時間が情報管理装置１０側で設定されるものとして説明したが、単位待ち時間は、情報管理装置１０側では設定されず、各店舗に設けられている第２店舗端末３０において設定される構成であってもよい。
【０１２４】
次に、管理部１０４は、ステップＳ４１において取得された現在時刻にステップＳ４３において算出された待ち時間を加算することによって対象順番待ち情報によって示される順番待ちにおける入店予定時刻（当該順番待ちをしている対象利用者の入店予定時刻）を算出する（ステップＳ４４）。
【０１２５】
ここで、上記したステップＳ４２〜Ｓ４４の処理が図８に示すステップＳ３２において取得された順番待ち情報のうちの全ての店舗順番待ち情報及び第１Ｗｅｂ順番待ち情報について実行されたか否かが判定される（ステップＳ４５）。
【０１２６】
全ての店舗順番待ち情報及び第１Ｗｅｂ順番待ち情報について処理が実行されていないと判定された場合（ステップＳ４５のＮＯ）、ステップＳ４２に戻って処理が繰り返される。この場合、処理が実行されていない店舗順番待ち情報または第１Ｗｅｂ順番待ち情報を対象順番待ち情報としてステップＳ４２〜Ｓ４４の処理が実行される。
【０１２７】
一方、全ての店舗順番待ち情報及び第１Ｗｅｂ順番待ち情報について処理が実行されたと判定された場合（ステップＳ４５のＹＥＳ）、管理部１０４は、全ての店舗順番待ち情報及び第１Ｗｅｂ順番待ち情報の各々についてステップＳ４４において算出された入店予定時刻と第２Ｗｅｂ順番待ち情報に含まれる入店予定時刻とに基づいて、図８に示すステップＳ３２において取得された順番待ち情報を並び替える（ステップＳ４６）。この場合、管理部１０４は、ステップＳ３２において取得された順番待ち情報を、入店予定時刻が早い順に並べ替える。
【０１２８】
ここで、ステップＳ４６において順番待ち情報が並び替えられた場合、上記した第２Ｗｅｂ順番待ち情報が店舗順番待ち情報または第１Ｗｅｂ順番待ち情報の前または後に挿入されることによって当該店舗順番待ち情報または第１Ｗｅｂ順番待ち情報の順番が変更される場合がある。上記した店舗順番待ち情報及び第１Ｗｅｂ順番待ち情報についての待ち時間は単に店舗順番待ち情報及び第１Ｗｅｂ順番待ち情報の登録時刻順に基づいて算出されたものであり、ステップＳ４６の処理によって店舗順番待ち情報及び第１Ｗｅｂ順番待ち情報の順番が変更されている場合には、当該待ち時間も併せて変更（更新）する必要がある。
【０１２９】
そこで、ステップＳ４６の処理によって店舗順番待ち情報または第１Ｗｅｂ順番待ち情報の順番が変更されているか否かが判定される（ステップＳ４７）。
【０１３０】
順番が変更されていると判定された場合（ステップＳ４７のＹＥＳ）、管理部１０４は、順番が変更された順番待ち情報の待ち時間（及び入店予定時刻）を、ステップＳ４６において並び替えられた順番待ち情報の順番に基づいて更新する（ステップＳ４８）。なお、この場合における待ち時間の算出処理は、ステップＳ４３と同様であるため、その詳しい説明を省略する。
【０１３１】
ステップＳ４８の処理が実行されると、管理部１０４は、ステップＳ４６において並び替えられた順番待ち情報及びステップＳ４８において更新された待ち時間を表示するためのスタッフ画面（の画面データ）を生成する（ステップＳ４９）。
【０１３２】
なお、上記したステップＳ４７において順番が変更されていない（つまり、同一である）と判定された場合（ステップＳ４７のＮＯ）、ステップＳ４８の処理は実行されず、ステップＳ４９の処理が実行される。
【０１３３】
本実施形態においては、後述するようにスタッフ画面に待ち時間が表示されるものとして説明するが、当該スタッフ画面に待ち時間が表示されないのであれば、ステップＳ４７及びＳ４８の処理は省略されても構わない。
【０１３４】
ここで、図１０は、第２店舗端末３０に表示されるスタッフ画面の一例を示す。なお、図１０においては、図７に示す順番待ち情報１０６ａ〜１０６ｆが表示されたスタッフ画面２００を示している。
【０１３５】
図１０に示すスタッフ画面２００において、順番待ち情報１０６ａ〜１０６ｆは、入店予定時刻に基づいて並び替えられた結果が表示されている。なお、順番待ち情報１０６ｂによって示される順番待ちにおける入店予定時刻は、上記したように順番待ち情報１０６ｂの登録の際に利用者によって指定（入力）された時刻である。一方、順番待ち情報１０６ｂ以外の順番待ち情報によって示される順番待ちにおける入店予定時刻は、上記したスタッフ画面生成処理において算出された時刻である。
【０１３６】
図１０に示す例においては、順番待ち情報１０６ａ、１０６ｃ、１０６ｄ、１０６ｅ、１０６ｂ及び１０６ｆの順に表示されている。
【０１３７】
店舗のスタッフは、このようなスタッフ画面２００において表示されている順に上から利用者（受付番号または氏名）を呼び出して、店舗に入店させることができる。
【０１３８】
なお、スタッフ画面２００においては順番待ち情報の各々によって示される順番待ちにおける待ち時間が表示されているが、上記したスタッフ画面生成処理において説明したように順番待ち情報１０６ｂ（第２Ｗｅｂ順番待ち情報）については待ち時間は算出されない。このため、順番待ち情報１０６ｂの待ち時間の欄には入店予定時刻が表示されている。
【０１３９】
また、上記したように順番待ち情報１０６ｂ（によって示される順番待ちをしている利用者）の場合は氏名で呼び出すため、スタッフ画面２００には、当該順番待ち情報１０６ｂに含まれる氏名（会員名）が表示されている。なお、順番待ち情報１０６ｃ（第１Ｗｅｂ順番待ち情報）についても氏名（会員名）が表示されているが、当該氏名は、例えば順番待ち情報１０６ｃに含まれる受付番号で呼び出した利用者が当該順番待ち情報１０６ｃによって示される順番待ちをしている利用者であるか否かを確認するために用いることができる。
【０１４０】
また、スタッフ画面２００において、順番待ち情報１０６ｂは、他の順番待ち情報（店舗順番待ち情報及び第１Ｗｅｂ順番待ち情報）と区別可能な態様で表示されるものとする。これによれば、店舗のスタッフは、第２Ｗｅｂ順番待ち情報（入店予定時刻が指定されている利用者端末４０からの順番待ち情報）の存在を容易に把握することができる。
【０１４１】
また、図１０に示すスタッフ画面２００においては、各順番待ち情報に対応する待ち時間は７分間隔となっている。つまり、図１０では、店舗において単位待ち時間が７分に設定されている例を示している。
【０１４２】
なお、図１０においては待ち時間を表示する例を示しているが、当該待ち時間は目安となる時間であり、店舗内の利用者の利用状況等によっても大きく変動する可能性がある。また、店舗のスタッフが利用者を呼び出すためには、スタッフ画面２００には当該利用者を呼び出す順に順番待ち情報が表示されていればよい。このため、上記したように待ち時間についてはスタッフ画面２００に表示されない構成としても構わない。
【０１４３】
店舗を利用していた他の利用者が当該店舗の利用を終えることによって順番待ちをしている利用者が店舗に入店可能となった場合、店舗のスタッフは、スタッフ画面２００を参照して、当該スタッフ画面２００に表示されている順番待ち情報に含まれる受付番号または氏名を上から順に呼び出すことによって、当該順番待ち情報によって示される順番待ちをしている利用者を店舗に入店させることができる。
【０１４４】
なお、図１０に示すように、スタッフ画面２００には、各順番待ち情報に対応づけて「案内」ボタン２０１及び「不在」ボタン２０２が設けられている（表示されている）。
【０１４５】
ここで、格納部１０６に格納されている順番待ち情報の各々には、上記したように当該順番待ち情報によって示される順番待ちのステータスが含まれているものとする。
【０１４６】
順番待ちのステータスには、例えば「未案内」、「案内済み」、「不在」及び「キャンセル」等が含まれる。「未案内」は、順番待ち情報によって示される順番待ちをしている利用者がまだ店舗に案内されていないことを示す。「案内済み」は、順番待ち情報によって示される順番待ちをしている利用者が既に店舗に案内された（つまり、入店した）ことを示す。「不在」は、順番待ち情報によって示される順番待ちをしている利用者が呼び出し時に不在であったことを示す。「キャンセル」は、順番待ち情報によって示される順番待ちがキャンセルされたことを示す。
【０１４７】
以下、順番待ちのステータスの遷移について簡単に説明する。まず、上記した図４〜図６に示す処理が実行されることによって格納部１０６に登録された順番待ち情報によって示される順番待ちのステータスは、「未案内」に設定される。なお、スタッフ画面には、ステータスが「未案内」である順番待ちを示す順番待ち情報の一覧が表示される。すなわち、図１０に示すスタッフ画面２００に表示されている順番待ち情報１０６ａ〜１０６ｆによって示される順番待ちのステータスは全て「未案内」である。
【０１４８】
ここで、例えば図１０に示すようにスタッフ画面２００に順番待ち情報１０６ａ〜１０６ｆが表示されている場合において、店舗のスタッフがスタッフ画面２００の最上位に表示されている順番待ち情報１０６ａに含まれる受付番号「１」を呼び出した場合を想定する。
【０１４９】
この場合において、受付番号「１」が印刷された順番待ちカードを所持する利用者が付近に待機しており、当該利用者を店舗に案内した（入店させた）場合には、店舗のスタッフは、スタッフ画面２００において順番待ち情報１０６ａに対応づけて表示されている「案内」ボタン２０１を押下する。これによれば、順番待ち情報１０６ａによって示される順番待ちのステータスは「未案内」から「案内済み」に変更される。このように順番待ちのステータスが変更された後に、図８に示す処理が実行されることによってスタッフ画面が更新された場合には、ステータスが「案内済み」である順番待ち情報１０６ａはスタッフ画面には表示されない。
【０１５０】
一方、受付番号「１」が印刷された順番待ちカードを所持する利用者が付近に待機しておらず、当該利用者を店舗に案内することができない（つまり、当該利用者が呼び出しに応じない）場合には、店舗のスタッフは、スタッフ画面２００において順番待ち情報１０６ａに対応づけて表示されている「不在」ボタン２０２を押下して、順番待ち情報１０６ａの次に表示されている順番待ち情報１０６ｃに含まれる受付番号「２」を呼び出す。この場合には、順番待ち情報１０６ａによって示される順番待ちのステータスは「未案内」から「不在」に変更される。ステータスが「不在」である順番待ち情報については、ステータスが「未案内」である順番待ち情報とともにスタッフ画面２００に表示されてもよいし、当該スタッフ画面２００とは別の画面（例えば、不在一覧画面等）に表示されるようにしてもよい。
【０１５１】
なお、ステータスが「不在」に変更された場合であっても、当該ステータスが「不在」に変更された順番待ち情報によって示される順番待ちをしている利用者が予め定められた期間内に再度来店すれば、当該利用者を入店させることができるものとする。このように利用者が店舗に入店した場合には、当該利用者の順番待ちのステータスは「不在」から「案内済み」に変更される。
【０１５２】
一方、順番待ちのステータスが「不在」に変更された後、予め定められた期間が経過した場合には、当該順番待ちはキャンセルしたものとして扱われる。この場合、順番待ちのステータスは「不在」から「キャンセル」に変更される。ステータスが「キャンセル」に変更された順番待ち情報はスタッフ画面には表示されない。
【０１５３】
ここでは順番待ち情報１０６ａによって示される順番待ちのステータスの遷移について主に説明したが、他の順番待ち情報の場合についても同様である。
【０１５４】
なお、スタッフ画面２００には順番待ち情報１０６ａ〜１０６ｆの各々に対応づけて「利用者からの回答」の欄が設けられているが、この欄に表示される内容（情報）については後述する。
【０１５５】
ここで、図１０に示すスタッフ画面２００に表示されている順番待ち情報１０６ａ〜１０６ｆのうち、順番待ち情報１０６ａ、１０６ｄ、１０６ｅ及び１０６ｆは、第１店舗端末２０からの順番待ちを示す順番待ち情報（店舗順番待ち情報）である。つまり、順番待ち情報１０６ａ、１０６ｄ、１０６ｅ及び１０６ｆによって示される順番待ちをしている利用者は、店頭に設置された第１店舗端末２０を操作して順番待ちを開始しているため、少なくとも店舗付近に待機している可能性が高いといえる。
【０１５６】
一方、順番待ち情報１０６ａ〜１０６ｆのうち、順番待ち情報１０６ｃ及び１０６ｂは、利用者端末４０からの順番待ちを示す順番待ち情報（第１Ｗｅｂ順番待ち情報及び第２Ｗｅｂ順番待ち情報）である。つまり、順番待ち情報１０６ｃ及び１０６ｂによって示される順番待ちをしている利用者は、当該利用者の所持する利用者端末４０を操作して順番待ちを開始しているため、まだ店舗に到着しておらず、当該利用者の順番待ちの状況を把握していない場合がある。
【０１５７】
そこで、本実施形態においては、例えば利用者端末４０からの順番待ちをしている利用者に対して当該利用者の順番待ちの状況を通知する機能（以下、通知機能と表記）を有するものとする。
【０１５８】
以下、図１１に示すフローチャートを参照して、上記した通知機能に関する本実施形態に係る情報管理装置１０の処理手順の一例について説明する。
【０１５９】
図１１に示す処理は、格納部１０６に格納されている上記したステータスが「未案内」である順番待ち情報で、かつ、利用者端末４０からの順番待ちを示す順番待ち情報（第１Ｗｅｂ順番マチ情報及び第２Ｗｅｂ順番待ち情報）の各々について実行される。以下、図１１に示す処理の対象となる順番待ち情報を対象順番待ち情報と称し、当該対象順番待ち情報によって示される順番待ちをしている利用者を対象利用者と称する。
【０１６０】
本実施形態において、ステータスが「未案内」である順番待ち情報について図１１に示す処理が実行されるものとして説明するが、例えばステータスが「不在」である順番待ち情報についても当該処理が実行されるようにしてもよい。
【０１６１】
まず、管理部１０４は、対象利用者に対して通知が必要であるか否かを判定する（ステップＳ５１）。この場合、管理部１０４は、対象利用者の順番待ちが予め定められた条件を満たす場合に、当該対象利用者に対して通知が必要であると判定する。
【０１６２】
具体的には、ステップＳ５１においては、例えば順番待ちにおける対象利用者の順番が予め定められた順番（例えば、２番目等）となった場合に、対象利用者に対して通知が必要であると判定される。図１０に示す例では、例えば順番待ち情報１０６ｃによって示される順番待ちをしている利用者が対象利用者であるものとすると、当該対象利用者の順番は２番目であり、ステップＳ５１において対象利用者に対して通知が必要であると判定される。一方、順番待ち情報１０６ｂによって示される順番待ちをしている利用者が対象利用者であるものとすると、当該対象利用者の順番は５番目であり、ステップＳ５１において対象利用者に対して通知が必要でないと判定される。
【０１６３】
ここでは対象利用者の順番が予め定められた順番である場合に対象利用者に対して通知が必要であると判定されるものとして説明したが、当該対象利用者に対して通知が必要であると判定されるための条件は、対象利用者によって指定されたものであってもよいし、他のものであってもよい。
【０１６４】
対象利用者に対して通知が必要であると判定された場合（ステップＳ５１のＹＥＳ）、管理部１０４は、対象利用者によって使用される利用者端末４０に対して、当該対象利用者の順番待ちの状況に関する通知及び順番待ちに関する問い合わせ（以下、第１問い合わせと表記）を送信する（ステップＳ５２）。なお、対象利用者の順番待ちの状況に関する通知は、例えば対象利用者の順番が近づいてきたこと（予め定められた順番となったこと）等を含む。また、第１問い合わせは、例えば店舗を利用する意思があるか否かの問い合わせを含む。
【０１６５】
ここで、本実施形態における通知機能は、閉鎖的通信網を介してメッセージを送受信可能なメッセージアプリケーションを用いて実現されるものとする。この閉鎖的通信網においては、例えば利用者が通信を許可する相手先からの通信のみを選択的に受信可能となっている。
【０１６６】
ステップＳ５２において通知及び第１問い合わせが情報管理装置１０（管理部１０４）から送信された場合、当該通知及び第１問い合わせの存在は、上記したメッセージアプリケーションにおけるＰｕｓｈ通知により利用者端末４０に表示される。
【０１６７】
このＰｕｓｈ通知によりステップＳ５２において送信された通知及び第１問い合わせの存在に気がついた場合、対象利用者は、利用者端末４０を操作することによってメッセージアプリケーションを起動することができる。これにより、利用者端末４０の画面には、例えば図１２に示すように通知及び第１問い合わせが表示される。
【０１６８】
この場合、対象利用者は、利用者端末４０に表示された通知（ここでは、「お呼出時刻が近づいてまいりました。店内にてお待ち頂くようお願い致します。」のメッセージ）によって、当該対象利用者の順番が近くなったこと（予め定められた順番となったこと）を把握することができる。
【０１６９】
一方、図１２に示す利用者端末４０の画面には、店舗を利用する意思があるか否かの第１問い合わせとして、店舗を利用する旨を表すボタン（「今から行く」ボタン）３０１及び店舗を利用しない旨を表すボタン（「キャンセル」ボタン）３０２が表示されている。
【０１７０】
店舗を利用する意思がある場合、対象利用者は、ボタン３０１を指定する操作を利用者端末４０上で行うことができる。一方、店舗を利用する意思がない場合、対象利用者は、ボタン３０２を指定する操作を利用者端末４０上で行うことができる。
【０１７１】
対象利用者によってボタン３０１または３０２を指定する操作が行われた場合、当該対象利用者によって指定されたボタンに応じた情報（以下、利用意思情報と表記）が利用者端末４０から情報管理装置１０に送信される。
【０１７２】
具体的には、対象利用者によってボタン３０１を指定する操作が行われた場合には、店舗を利用する意思があることを示す利用意思情報が、上記した第１問い合わせに対する応答として情報管理装置１０に送信される。
【０１７３】
一方、対象利用者によってボタン３０２を指定する操作が行われた場合には、店舗を利用する意思がないことを示す利用意思情報が、第１問い合わせに対する応答として情報管理装置１０に送信される。
【０１７４】
なお、上記した利用意思情報は、ボタンを指定する操作が対象利用者によって行われた場合に呼び出されるＡＰＩによって情報管理装置１０に送信（通知）される。
【０１７５】
上記したように利用者端末４０から利用意思情報が送信された場合、管理部１０４は、当該利用意思情報を受信する（ステップＳ５３）。
【０１７６】
次に、管理部１０４は、ステップＳ５３において受信された利用意思情報に基づいて、対象利用者に店舗を利用する意思があるか否かを判定する（ステップＳ５４）。
【０１７７】
対象利用者に店舗を利用する意思があると判定された場合（ステップＳ５４のＹＥＳ）、管理部１０４は、対象利用者によって使用される利用者端末４０に対して問い合わせ（以下、第２問い合わせと表記）を送信する（ステップＳ５５）。なお、第２問い合わせは、例えば対象利用者が店舗に到着するまでの時間に関する問い合わせを含む。
【０１７８】
ステップＳ５５において第２問い合わせが情報管理装置１０（管理部１０４）から送信された場合、当該第２問い合わせは、上記したメッセージアプリケーションによって利用者端末４０の画面に表示される。
【０１７９】
ここで、図１３は、第２問い合わせが表示された利用者端末４０の画面例を示す。図１３に示す利用者端末４０の画面には、対象利用者が店舗に到着するまでの時間に関する第２問い合わせとして、対象利用者が店舗に到着するまでの時間毎に対応するボタン４０１〜４０３が表示されている。
【０１８０】
この場合、対象利用者は、店舗に到着するまでの時間に対応するボタンを指定する操作を利用者端末４０上で行うことができる。
【０１８１】
対象利用者によってボタン４０１〜４０３のうちの１つを指定する操作が行われた場合、当該対象利用者によって指定されたボタンに応じた情報（以下、到着予定情報と表記）が利用者端末４０から情報管理装置１０に送信される。
【０１８２】
具体的には、対象利用者によって例えばボタン（「５分くらい」ボタン）４０１を指定する操作が行われた場合には、店舗に到着するまでの時間が５分程度であることを示す到着予定情報が、上記した第２問い合わせに対する応答として情報管理装置１０に送信される。
【０１８３】
一方、対象利用者によって例えばボタン（「１０分ぐらい」ボタン）４０２を指定する操作が行われた場合には、店舗に到着するまでの時間が１０分程度であることを示す到着予定情報が、第２問い合わせに対する応答として情報管理装置１０に送信される。
【０１８４】
同様に、対象利用者によってボタン（「２０分ぐらい」ボタン）４０３を指定する操作が行われた場合には、店舗に到着するための時間が２０分程度であることを示す到着予定情報が、第２問い合わせに対する応答として情報管理装置１０に送信される。
【０１８５】
なお、ここでは対象利用者によって指定されたボタンに応じた時間を示す到着予定情報が情報管理装置１０に送信されるものとして説明したが、当該情報管理装置１０に送信される到着予定情報によって示される時間は、対象利用者によって直接入力された時間（数値）であってもよい。
【０１８６】
また、図１３においては省略されているが、利用者端末４０の画面には、ボタン４０１〜４０３以外に例えば順番待ちをキャンセルするためのボタン（「キャンセル」ボタン）が更に表示されていてもよい。また、この「キャンセル」ボタンが押下されるまでは、上記した到着予定情報は複数回（つまり、何度でも）送信されても構わない。
【０１８７】
なお、例えば交通事情等により、来店時間が利用者の当初の見込みよりも遅れるような場合には、利用者は店舗に来店する意思が持続する限り、到着予定情報を送信することが可能である。また、来店を諦めた場合にはその意思を表明する（利用意思情報を送信する）ことができる。店舗側は、この到着予定情報または利用意思情報によって利用者が当該情報の送信時点で来店予定が遅れていることまたは来店する意思の有無を確認することができる。
【０１８８】
上記したように利用者端末４０から到着予定情報が送信された場合、管理部１０４は、当該到着予定情報を受信する（ステップＳ５６）。なお、本実施形態において、ステップＳ５６の処理が実行される場合、当該ステップＳ５６において到着予定情報が受信された時刻は、情報管理装置１０（管理部１０４）の内部で保持しておくものとする。
【０１８９】
ステップＳ５６において到着予定情報が受信されると、表示処理部１０５は、当該到着予定情報を含むスタッフ画面（の画面データ）を第２店舗端末３０に送信し、当該スタッフ画面を第２店舗端末３０に表示する（ステップＳ５７）。
【０１９０】
ここで、図１４は、到着予定情報を含むスタッフ画面の一例を示す。ここでは、上記した図１０に示すスタッフ画面２００に表示されている順番待ち情報１０６ｃを対象順番待ち情報として上記した図１１の処理が実行された場合について主に説明する。
【０１９１】
具体的には、図１４においては、図１１に示すステップＳ５１において順番待ち情報１０６ｃによって示される順番待ちをしている対象利用者に対して通知が必要であると判定され、ステップＳ５４において対象利用者に店舗を利用する意思があると判定され、ステップＳ５６において対象利用者が店舗に到着するまでの時間が２０分程度であることを示す到着予定情報が第２問い合わせに対する応答として受信された場合のスタッフ画面を想定している。
【０１９２】
この場合、図１４に示すように、スタッフ画面５００の順番待ち情報１０６ｃに対応づけて設けられている「利用者からの回答」の欄には、上記した到着予定情報によって示される時間（ここでは、２０分）が表示される。
【０１９３】
なお、スタッフ画面５００に表示されている到着予定情報の表示は、上記した図８の処理が実行される際に更新されるものとする。具体的には、例えば図１４に示す到着予定情報によって示される時間（２０分）は、上記した到着予定情報が受信されてからの時間の経過に応じて減少するように更新されて表示される。すなわち、図１４は到着予定情報が受信された直後に表示されるスタッフ画面を示しているが、到着予定情報が受信された後、１分が経過した場合には、順番待ち情報１０６ｃに対応づけて設けられている「利用者からの回答」の欄には１９分が表示される。同様に、到着予定情報が受信された後、５分が経過した場合には、順番待ち情報１０６ｃに対応づけて設けられている「利用者からの回答」の欄には１５分が表示される。
【０１９４】
店舗のスタッフは、このようなスタッフ画面５００を参照することによって、対象利用者の店舗への到着時間を考慮して準備等を行うことが可能となる。
【０１９５】
再び図１１に戻ると、上記したように、対象順番待ち情報に含まれるステータスは「未案内」である。このため、上記したステップＳ５４において対象利用者に店舗を利用する意思がないと判定された場合（ステップＳ５４のＮＯ）、管理部１０４は、対象順番待ち情報に含まれるステータスを「未案内」から「キャンセル」に変更する（ステップＳ５８）。
【０１９６】
ステップＳ５８の処理が実行された場合、対象順番待ち情報が表示されないスタッフ画面が第２店舗端末３０に表示される（ステップＳ５７）。
【０１９７】
なお、上記したステップＳ５１において対象利用者に対して通知が必要でないと判定された場合（ステップＳ５１のＮＯ）、図１１に示す処理は終了される。
【０１９８】
上記したように図１１に示す処理はステータスが「不在」である順番待ち情報について実行されてもよいが、ステータスが「不在」である順番待ち情報について当該処理が実行された場合にステップＳ５６において受信される到着予定情報（到着予定時刻）は、当該ステータスを「不在」から「キャンセル」に変更するために用いられてもよい。具体的には、例えば到着予定時刻（または到着予定時刻に予め定められた時間を加算した時刻）を経過しても利用者が来店しない場合にはステータスを「不在」から「キャンセル」に変更してもよい。
【０１９９】
ところで、図１４に示すスタッフ画面５００においては、利用者端末４０からの順番待ちを示す順番待ち情報１０６ｃに対応づけて設けられている「利用者からの回答」の欄には到着予定時間が表示されているが、同じく利用者端末４０からの順番待ちを示す順番待ち情報１０６ｂに対応づけて設けられている「利用者からの回答」の欄には到着予定時間が表示されていない。これは、例えば順番待ち情報１０６ｂによって示される順番待ちをしている利用者の順番は５組目であるため、図１１に示すステップＳ５１において当該利用者に対して通知が必要でないと判定されることにより、当該利用者が店舗に到着するまでの時間を示す到着予定情報が情報管理装置１０において受信されていないことに起因する。同様に、例えば図１１に示すステップＳ５５において第２問い合わせが送信された場合であっても、当該第２問い合わせの応答としての到着予定情報が情報管理装置１０において受信されていない場合には、「利用者からの回答」の欄には到着予定時間は表示されない。
【０２００】
なお、本実施形態においては例えば店舗等に向かって移動中の利用者等に対して順番待ちの状況を通知することを想定しているため、利用者端末４０が例えばスマートフォン、タブレット端末及びフィーチャーフォン等の携帯可能な端末である場合を想定しているが、例えばデスクトップ型のパーソナルコンピュータ等の携帯可能でない端末を利用者端末４０として用いて順番待ちをすることは可能である。このため、上記した図５及び図６に示す処理が実行されることによって利用者端末４０からの順番待ちが登録される場合には、当該利用者端末４０が携帯可能な端末であるか否かを確認するような質問に対して利用者に回答させるようにしてもよい。
【０２０１】
また、利用者端末４０が携帯可能な端末である場合には、当該利用者端末４０を携帯した上で店舗に向かうことを促すメッセージを当該利用者端末４０に表示するようにしてもよい。
【０２０２】
一方、利用者端末４０が携帯可能な端末でない場合には、他の携帯可能な端末を所持して店舗に向かうことが可能であるかどうかを確認（質問）するようにしてもよい。他の携帯可能な端末を所持して店舗に向かうことができないとの回答が得られた場合には、順番待ちの登録の時点（つまり、図５及び図６に示す処理の時点）で上記した第２問い合わせを利用者端末４０に送信し、到着予定情報を受信するようにしてもよい。このような構成は、入店予定時刻が指定されていない第１Ｗｅｂ順番待ち情報においては特に有効である。
【０２０３】
ここで、本実施形態において、店舗のスタッフは、上記したスタッフ画面５００を参照して、当該スタッフ画面５００に表示されている順番待ち情報に含まれる受付番号または氏名を上から順に呼び出すことになる。
【０２０４】
しかしながら、スタッフ画面５００に表示されている順番待ち情報１０６ｃによって示される順番待ちにおける待ち時間は１４分であるところ、当該順番待ち情報１０６ｃに対応づけて設けられている「利用者からの回答」の欄に表示されている時間（到着予定時間）は２０分である。
【０２０５】
上記したようにスタッフ画面５００に表示される待ち時間は目安となる時間であり、変動する可能性はあるが、予定通りに１４分程度の待ち時間で順番待ち情報１０６ｃによって示される順番待ちをしている利用者を呼び出すことができた場合、当該利用者は、まだ店舗に到着していない可能性が高い。
【０２０６】
このような利用者を呼び出して、当該利用者が店舗付近にいるまたは来店しているか否か等を確認する作業を店舗のスタッフが行うことは、当該店舗における効率的なオペレーションを妨げることの原因となる。
【０２０７】
そこで、本実施形態において、上記した図１４に示すスタッフ画面５００には、到着予定情報に基づいて順番待ち情報を並び替えるためのボタン（以下、並び替えボタンと表記）５０１が設けられているものとする。なお、図１４に示す例では、スタッフ画面５００において「利用者からの回答」と表記されている部分が並び替えボタン５０１としての機能を有している。このような並び替えボタン５０１がスタッフ画面５００上で店舗のスタッフによって押下（指定）された場合、到着予定情報に基づいて並び替えられた順番待ち情報を表示するスタッフ画面が再生成されて表示される。
【０２０８】
以下、図１５のフローチャートを参照して、スタッフ画面において並び替えボタンが押下された際の情報管理装置１０の処理手順の一例について説明する。なお、図１５に示す処理は、例えば管理部１０４によって実行される。
【０２０９】
上記したようにスタッフ画面において並び替えボタンが押下された場合には、スタッフ画面に表示されている順番待ち情報の各々について以下のステップＳ６１〜Ｓ６４の処理が実行される。以下、この処理の対象となる順番待ち情報を対象順番待ち情報と称する。
【０２１０】
まず、管理部１０４は、対象順番待ち情報が店舗順番待ち情報（つまり、第１店舗端末２０からの順番待ちを示す順番待ち情報）であるか否かを判定する（ステップＳ６１）。なお、対象順番待ち情報に含まれる経路が「店舗」である場合には、対象順番待ち情報は店舗順番待ち情報であると判定される。一方、対象順番待ち情報に含まれる経路が「店舗」以外（つまり、「Ｗｅｂ１」または「Ｗｅｂ２」）である場合には、対象順番待ち情報は店舗順番待ち情報でないと判定される。
【０２１１】
対象順番待ち情報が店舗順番待ち情報でない（つまり、第１Ｗｅｂ順番待ち情報または第２Ｗｅｂ順番待ち情報である）と判定された場合（ステップＳ６１のＮＯ）、管理部１０４は、対象順番待ち情報によって示される順番待ちをしている利用者によって使用される利用者端末４０から到着予定情報を受信済みであるか否かを判定する（ステップＳ６２）。なお、到着予定情報は、上記した図１１に示すステップＳ５６において受信される情報である。
【０２１２】
図１４に示すスタッフ画面５００を例として説明すると、例えば対象順番待ち情報が順番待ち情報１０６ｃであれば、ステップＳ６２においては到着予定情報を受信済みであると判定される。一方、例えば対象順番待ち情報が順番待ち情報１０６ｂであれば、ステップＳ６２においては到着予定情報を受信済みでないと判定される。
【０２１３】
まず、到着予定情報を受信済みであると判定された場合を想定する（ステップＳ６２のＹＥＳ）。ここで、上記したように、図１１に示すステップＳ５６において到着予定情報が受信された場合、情報管理装置１０の内部には、当該到着予定情報が受信された時刻（以下、受信時刻と表記）が保持される。このため、管理部１０４は、情報管理装置１０の内部で保持されている受信時刻に受信済みの到着予定情報によって示される到着予定時間を加算することによって、対象順番待ち情報によって示される順番待ちをしている利用者が店舗に到着する時刻（以下、到着予定時刻と表記）を算出する（ステップＳ６３）。
【０２１４】
一方、上記したステップＳ６１において対象順番待ち情報が店舗順番待ち情報であると判定された場合、管理部１０４は、当該対象順番待ち情報によって示される順番待ちにおける入店予定時刻を算出する（ステップＳ６４）。なお、このステップＳ６４の処理としては、例えば図９に示すステップＳ４１〜Ｓ４４の処理が実行される。すなわち、ステップＳ６４においては、対象順番待ち情報によって示される順番待ちをしている利用者よりも先に店舗に入店することになる他の利用者の順番待ちを示す順番待ち情報の数に基づいて入店予定時刻が算出される。
【０２１５】
なお、ステップＳ６４においては、上記した入店予定時刻を算出する処理を実行することなく、例えば図９に示す処理が実行されることによって算出されている入店予定時刻（対象順番待ち情報によって示される順番待ちにおける入店予定時刻）が取得されるようにしてもよい。
【０２１６】
また、ステップＳ６２において到着予定情報を受信済みでないと判定された場合（ステップＳ６２のＮＯ）、ステップＳ６４の処理が実行される。すなわち、対象順番待ち情報が第１Ｗｅｂ順番待ち情報である場合には、ステップＳ６４において説明したように当該対象順番待ち情報によって示される順番待ちにおける入店予定時刻が算出される。一方、対象順番待ち情報が第２Ｗｅｂ順番待ち情報である場合には、当該対象順番待ち情報（第２Ｗｅｂ順番待ち情報）に含まれる入店予定時刻をステップＳ６４において算出された入店予定時刻とする。
【０２１７】
次に、スタッフ画面に表示されている全ての順番待ち情報についてステップＳ６１〜Ｓ６４の処理が実行されたか否かが判定される（ステップＳ６５）。
【０２１８】
全ての順番待ち情報について処理が実行されていないと判定された場合（ステップＳ６５のＮＯ）、上記したステップＳ６１に戻って処理が繰り返される。この場合、ステップＳ６１〜Ｓ６４の処理が実行されていない順番待ち情報を対象順番待ち情報としてステップＳ６１の処理が実行される。
【０２１９】
一方、全ての順番待ち情報について処理が実行されたと判定された場合（ステップＳ６５のＹＥＳ）、当該順番待ち情報の各々についてステップＳ６１〜Ｓ６４の処理が実行されることによって、店舗順番待ち情報については入店予定時刻（第１店舗端末２０からの順番待ちをしている利用者の入店予定時刻）が算出され、到着予定情報を受信済みである第１Ｗｅｂ順番待ち情報及び第２Ｗｅｂ順番待ち情報については到着予定時刻（利用者端末４０から順番待ちをしている利用者の到着予定時刻）が算出され、到着予定情報を受信済みでない第１Ｗｅｂ順番待ち情報及び第２Ｗｅｂ順番待ち情報については入店予定時刻が算出された状態となる。
【０２２０】
この場合、管理部１０４は、上記した到着予定情報を受信済みでない順番待ち情報（第１Ｗｅｂ順番待ち情報及び第２順番待ち情報）の表示に関するルールを選択する（ステップＳ６６）。
【０２２１】
ここで、到着予定情報を受信済みでない順番待ち情報の表示に関するルールは、例えば第１〜第３ルールを含む。
【０２２２】
第１ルールは、到着予定情報を受信済みでない順番待ち情報は表示しないことを含む。第２ルールは、到着予定情報を受信済みでない順番待ち情報は他の順番待ち情報よりも下位に表示することを含む。第３ルールは、到着予定情報を受信済みでない順番待ち情報はステップＳ６４において算出された入店予定時刻に基づいて表示することを含む。
【０２２３】
ステップＳ６６においては、例えば第１〜第３ルールのうちの予め定められたルールが選択されてもよいし、ステップＳ６６の処理が実行される際に店舗のスタッフによって指定されたルールが選択されてもよい。
【０２２４】
ステップＳ６６の処理が実行されると、管理部１０４は、スタッフ画面に表示されている順番待ち情報の各々を、店舗順番待ち情報についてステップＳ６４において算出された入店予定時刻と第１Ｗｅｂ順番待ち情報及び第２Ｗｅｂ順番待ち情報についてステップＳ６３において算出された到着予定時刻に基づいて並べ替える（ステップＳ６７）。ステップＳ６７において、順番待ち情報は、ステップＳ６６において選択されたルールに従って入店予定時刻及び到着予定時刻の早い順に並べ替えられる。
【０２２５】
具体的には、ステップＳ６６において第１及び第２ルールが選択された場合には、到着予定情報を受信済みでない順番待ち情報（第１Ｗｅｂ順番待ち情報または第２Ｗｅｂ順番待ち情報）は、ステップＳ６７の処理（つまり、並び替え）の対象とはしないものとする。また、ステップＳ６６において第３ルールが選択された場合には、到着予定情報を受信済みでない順番待ち情報についても同様に並べ替えの対象とする。
【０２２６】
なお、例えば入店予定時刻及び到着予定時刻が同一である場合には、利用者が店舗近隣にいる可能性が高い店舗順番待ち情報を優先的に（上位に）表示してもよいし、第１Ｗｅｂ順番待ち情報または第２Ｗｅｂ順番待ち情報を優先的に（上位に）表示してもよい。いずれの順番待ち情報を優先的に表示するかについては、情報管理装置１０または第２店舗端末３０等において予め設定されていればよい。
【０２２７】
管理部１０４は、ステップＳ６７において並び替えられた順番待ち情報を表示するためのスタッフ画面（の画面データ）を再生成する（ステップＳ６８）。
【０２２８】
ステップＳ６８において再生成されたスタッフ画面は、第２店舗端末３０に送信されて、当該第２店舗端末３０に表示される。
【０２２９】
図１６は、図１５に示す処理が実行された場合に第２店舗端末３０に表示されるスタッフ画面（つまり、並び替えボタンが押下された後に第２店舗端末３０に表示されるスタッフ画面）の一例を示す。なお、図１６は、図１４に示すスタッフ画面５００において並び替えボタン５０１が押下された後に表示されるスタッフ画面であるものとする。
【０２３０】
ここで、図１４に示すスタッフ画面５００においては順番待ち情報１０６ａ、１０６ｃ、１０６ｄ、１０６ｅ、１０６ｂ及び１０６ｆの順で表示されていたところ、図１５に示すステップＳ６３において順番待ち情報１０６ｃについて算出された到着予定時刻は、順番待ち情報１０６ｄによって示される順番待ちにおける入店予定時刻よりも後であるものとする。
【０２３１】
この場合、図１６に示すスタッフ画面６００において、順番待ち情報１０６ｃ及び１０６ｄは、順番が入れ替わるように並び替えられて表示される。
【０２３２】
このようなスタッフ画面６００によれば、店舗のスタッフは、順番待ち情報１０６ｃによって示される順番待ちをしている利用者が店舗に到着するまでの到着予定時間（到着予定情報）を考慮して、呼び出し時に到着していないと推測される当該利用者よりも、他の利用者（既に来店していると推測される利用者）を優先して呼び出すことが可能となる。
【０２３３】
なお、図１６は上記したステップＳ６６において第１ルールが選択されている場合のスタッフ画面の例を示しており、順番待ち情報１０６ｂについては到着予定情報を受信済みでないため、スタッフ画面６００には順番待ち情報１０６ｂは表示されていない。
【０２３４】
ここでは第１ルールが選択されている場合のスタッフ画面について説明したが、上記した第２ルールが選択されている場合には、当該順番待ち情報１０６ｂは、例えば順番待ち情報１０６ｆの下位（すなわち、スタッフ画面６００における順番待ち情報の並びの最後尾）に表示される。
【０２３５】
一方、上記した第３ルールが選択されている場合には、順番待ち情報１０６ｂは、当該順番待ち情報１０６ｂに含まれる入店予定時刻（ユーザによって指定された入店予定時刻）に基づいて並べ替えられた位置に表示される。
【０２３６】
なお、図１６に示す例では待ち時間は表示されていないが、スタッフ画面６００には、例えば図１４に示すスタッフ画面５００において各順番待ち情報に対応づけて表示されていた待ち時間と同一の待ち時間が表示されてもよいし、スタッフ画面６００に表示されている順番待ち情報の順番に従って再度算出された待ち時間が表示されても構わない。
【０２３７】
また、本実施形態においては並び替えボタンが押下された場合に図１５に示す処理が実行されるが、当該処理が実行される時点で再度第２問い合わせを利用者端末４０に送信して到着予定情報を受信するようにしてもよい。
【０２３８】
また、図１６に示すスタッフ画面６００において例えば並び替えボタン５０１が再度押下された場合には、図１４に示すスタッフ画面５００が表示されるものとする。ここでは、並び替えボタン５０１を用いるものとして説明したが、スタッフ画面５００に戻る（遷移する）ためのボタンが別途設けられていても構わない。なお、到着予定情報に基づいて順番待ち情報が並び替えられていることをスタッフが容易に把握できるように、スタッフ画面６００は、スタッフ画面５００と区別可能な態様で表示されていてもよい。
【０２３９】
上記したように本実施形態においては、例えば第１利用者の店舗に対する順番待ちを示す第１順番待ち情報及び当該第１利用者以外の第２利用者の店舗に対する順番待ちを示す第２順番待ち情報を含む複数の順番待ち情報が登録される場合において、第１順番待ち情報によって示される順番待ちに関する問い合わせを利用者端末４０に送信し、当該問い合わせに対する応答として第１利用者が店舗に到着するまでの時間を示す到着予定情報を利用者端末４０から受信し、当該受信された到着予定情報に基づいて複数の順番待ち情報が並び替えられた結果を第１店舗端末２０に表示する。
【０２４０】
本実施形態においては、このような構成により、店舗におけるオペレーションの効率化を図ることが可能となる。
【０２４１】
具体的には、上記した到着予定情報が受信された時刻に当該到着予定情報によって示される時間を加算することによって到着予定時刻を算出し、複数の順番待ち情報は、当該算出された到着予定時刻及び他の順番待ち情報（第２順番待ち情報）によって示される順番待ちにおける入店予定時刻に基づいて並び替えられる。
【０２４２】
ここで、複数の利用者が順番待ちをすることが可能な店舗において例えば利用者が店舗のスタッフからの呼び出しに応じない場合、店舗のスタッフは、当該利用者が店舗付近にいるまたは来店しているか否かを確認しなければならず、当該利用者が不在であると判断できるまで当該利用者を複数回呼び出すこと等が必要となる。順番待ちが発生しているような店舗においてこのような対応を頻繁にしなければならないとすると、当該店舗における効率的なオペレーションを実現することは困難である。
【０２４３】
これに対して、本実施形態においては、上記した構成により、例えば第１順番待ち情報によって示される順番待ちをしている利用者の到着予定時刻が第２順番待ち情報によって示される順番待ちをしている利用者の入店予定時刻よりも後になる場合には、第２店舗端末３０に表示されるスタッフ画面において、第１順番待ち情報と第２順番待ち情報との順番を入れ替える（つまり、並び替える）ことができるため、店舗に到着していないと推測される利用者を呼び出してしまうことを回避することが可能となる。
【０２４４】
また、本実施形態において、到着予定情報によって示される到着予定時間は、時間の経過に応じて減少するように更新されて第２店舗端末３０に表示される。このような構成によれば、店舗のスタッフは利用者が店舗に到着するまでの時間を容易に把握することができ、例えば余裕をもって席の準備等を行うことが可能となる。
【０２４５】
なお、本実施形態においては、第１Ｗｅｂ順番待ち情報及び第２Ｗｅｂ順番待ち情報について算出された到着予定時刻（つまり、利用者端末４０から順番待ちをしている利用者の到着予定時刻）と店舗順番待ち情報について算出された入店予定時刻（つまり、第１店舗端末２０から順番待ちをしている利用者の入店予定時刻）とに基づいて順番待ち情報を並べ替えて第２店舗端末３０に表示するものとして説明したが、例えば上記した図１１に示すステップＳ５６において到着予定情報が受信された時刻や当該到着予定情報によって示される到着予定時間によっては、本来入店が予定されている時刻よりも過剰に早く利用者を呼び出してしまうような場合が発生し得る。
【０２４６】
このため、本実施形態においては、例えば利用者端末４０からの順番待ちを示す順番待ち情報（第１Ｗｅｂ順番待ち情報または第２Ｗｅｂ順番待ち情報）について算出された到着予定時刻と当該順番待ち情報によって示される順番待ちにおける入店予定時刻とを比較し、当該到着予定時刻が当該入店予定時刻よりも前である場合には当該入店予定時刻に基づいて並び替える処理を実行し、当該到着予定時刻が当該入店予定時刻よりも後である場合には当該到着予定時刻に基づいて並び替える処理を実行するようにしてもよい。
【０２４７】
このような構成によれば、本来入店が予定されている時刻よりも過剰に早く利用者を呼び出してしまうような事態を回避することができる。
【０２４８】
なお、利用者端末４０からの順番待ちを示す順番待ち情報が第１Ｗｅｂ順番待ち情報である場合、当該順番待ち情報によって示される順番待ちにおける入店予定時刻は、当該順番待ちをしている利用者よりも先に店舗に入店することになる他の利用者の順番待ちを示す順番待ち情報の数に基づいて算出される時刻である。
【０２４９】
一方、利用者端末４０からの順番待ちを示す順番待ち情報が第２Ｗｅｂ順番待ち情報である場合、当該順番待ち情報によって示される順番待ちにおける入店予定時刻は、当該順番待ち情報に含まれる入店予定時刻（つまり、当該順番待ち情報が登録される際に利用者によって指定された入店予定時刻）である。
【０２５０】
また、店舗順番待ち情報については当該店舗順番待ち情報によって示される順番待ちにおける入店予定時刻に基づいて並び替えられるが、当該入店予定時刻は、当該順番待ちをしている利用者よりも先に店舗に入店することになる他の利用者の順番待ちを示す順番待ち情報の数に基づいて算出される時刻である。
【０２５１】
なお、上記した並び替える処理において到着予定時刻と入店予定時刻とのいずれを用いるかについては、上記した到着予定時刻及び入店予定時刻の前後関係以外の条件に基づいて決定されても構わない。
【０２５２】
また、上記した図１１においては第１問い合わせ及び第２問い合わせが利用者端末４０に送信されるものとして説明したが、本実施形態においては、到着予定情報に基づいて順番待ち情報が並び替えられた結果を第２店舗端末３０に表示する構成であればよく、例えば第１問い合わせについては利用者端末４０に送信されない構成であってもよい。この場合、図１１に示すステップＳ５２〜Ｓ５４及びＳ５８の処理は省略されても構わない。
【０２５３】
更に、情報管理装置１０から利用者端末４０に対して第２問い合わせを送信することなく、例えば利用者端末４０に対して利用者が自発的に行う操作に応じて、到着予定情報が情報管理装置１０に送信されるようにしてもよい。
【０２５４】
また、本実施形態においては利用者端末４０に対する利用者の操作に応じて到着予定情報が情報管理装置１０に送信されるものとして説明したが、例えば利用者端末４０が利用者（当該利用者端末４０）の位置を検出することが可能なＧＰＳ（Global Positioning System）機能を有している場合、当該ＧＰＳ機能によって検出された利用者の位置と店舗の位置（所在地）とから算出される距離に基づいて算出された時間（利用者が店舗に到着するまでに必要な時間）を示す到着予定情報が自動的に利用者端末４０から情報管理装置１０に送信される構成とすることも可能である。この到着予定情報の送信は、例えば利用者の位置を監視し、当該利用者の位置が店舗から予め定められた範囲内にあると判定された場合に実行されるようにしてもよい。なお、店舗の位置を示す位置情報については、予め情報管理装置１０（格納部１０６等）内で管理されていればよい。
【０２５５】
なお、本実施形態においては利用者端末４０からの順番待ちをしている利用者の到着予定時間（到着予定情報）を受信するものとして説明したが、例えば第１店舗端末２０からの順番待ちをしている利用者が一旦店舗を離れるような場合もあり得る。このため、第１店舗端末２０から順番待ちをしている利用者の到着予定時間を受信するようにしてもよい。この場合、例えば第１店舗端末２０から順番待ちをしている利用者が使用する利用者端末から情報管理システムにログインすることによって、情報管理装置１０は、当該利用者の到着予定時間を当該利用者端末から受信することが可能となる。また、第１店舗端末２０からの順番待ちが受け付けられた際に発券された順番待ちカードに二次元コードが印刷されており、当該二次元コードを当該利用者端末で読み取らせることで、当該利用者端末からの到着予定時間の受信が可能となるようにしてもよい。
【０２５６】
なお、本実施形態における通知機能は主にメッセージアプリケーションを用いて実現されるものとして説明したが、本実施形態において説明した情報管理装置１０と利用者端末４０との間の各種情報の送受信は、他のサーバ装置（例えば、メッセージサーバ）等を介して行われても構わない。
【０２５７】
また、本実施形態においては、店舗順番待ち情報、第１Ｗｅｂ順番待ち情報及び第２Ｗｅｂ順番待ち情報の全てがスタッフ画面に一覧で表示される場合について説明したが、例えば店舗順番待ち情報及び第１Ｗｅｂ順番待ち情報と、第２Ｗｅｂ順番待ち情報とを分けてスタッフ画面に表示するようにしてもよい。この場合、第１Ｗｅｂ順番待ち情報について算出された到着予定時刻（到着予定情報）を用いて店舗順番待ち情報及び第１順番待ち情報を並べ替えて表示するような構成も可能であるし、第２Ｗｅｂ順番待ち情報について算出された到着予定時刻（到着予定情報）を用いて第２Ｗｅｂ順番待ち情報を並べ替えて表示するような構成も可能である。
【０２５８】
更に、本実施形態においては到着予定情報に基づいて並べ替えられた順番待ち情報の一覧がスタッフ画面に表示されるものとして説明したが、例えば当該並べ替えられた結果として、当該並べ替えられた後の順番において先頭となる順番待ち情報（つまり、次に呼び出すべき受付番号または氏名）のみを表示するような構成としても構わない。この場合、例えば図１４に示すスタッフ画面５００の順番待ち情報の一覧の表示は変更せずに、到着予定情報に基づいて並び替えられた後の順番において先頭となる順番待ち情報に含まれる受付番号または氏名が当該スタッフ画面５００の所定領域等に表示されるようにしてもよい。ここでは、先頭となる順番待ち情報のみが表示されるものとして説明したが、先頭から指定された順番までの順番待ち情報が表示されるようにしてもよい。すなわち、複数の順番待ち情報が並び替えられた結果として、当該並び替えられた複数の順番待ち情報のうちの少なくとも先頭に位置する順番待ち情報が表示されればよい。
【０２５９】
本実施形態においては情報管理装置１０が１つの装置であるものとして説明したが、当該情報管理装置１０は、ネットワークを介して通信可能な複数の装置によって実現されても構わない。
【０２６０】
また、図３において説明した情報管理装置１０の機能構成の少なくとも一部は、例えば第１店舗端末２０、第２店舗端末３０または利用者端末４０等に備えられていてもよい。
【０２６１】
なお、上記した実施形態に記載した手法は、コンピュータに実行させることのできるプログラムとして、磁気ディスク（フロッピー（登録商標）ディスク、ハードディスクなど）、光ディスク（ＣＤ−ＲＯＭ、ＤＶＤなど）光磁気ディスク（ＭＯ）、半導体メモリなどの記憶媒体に格納して頒布することもできる。
【０２６２】
また、この記憶媒体としては、プログラムを記憶でき、かつコンピュータが読み取り可能な記憶媒体であれば、その記憶形式は何れの形態であってもよい。
【０２６３】
また、記憶媒体からコンピュータにインストールされたプログラムの指示に基づきコンピュータ上で稼働しているＯＳ（オペレーティングシステム）や、データベース管理ソフト、ネットワークソフト等のＭＷ（ミドルウェア）等が本実施形態を実現するための各処理の一部を実行してもよい。
【０２６４】
更に、本発明における記憶媒体は、コンピュータと独立した媒体に限らず、ＬＡＮやインターネット等により伝送されたプログラムをダウンロードして記憶または一時記憶した記憶媒体も含まれる。
【０２６５】
また、記憶媒体は１つに限らず、複数の媒体から本実施形態における処理が実行される場合も本発明における記憶媒体に含まれ、媒体構成は何れの構成であってもよい。
【０２６６】
なお、本発明におけるコンピュータは、記憶媒体に記憶されたプログラムに基づき、本実施形態における各処理を実行するものであって、パソコン等の１つからなる装置、複数の装置がネットワーク接続されたシステム等の何れの構成であってもよい。
【０２６７】
また、本発明におけるコンピュータとは、パソコンに限らず、情報処理機器に含まれる演算処理装置、マイコン等も含み、プログラムによって本発明の機能を実現することが可能な機器、装置を総称している。
【０２６８】
なお、本願発明は、上記実施形態そのままに限定されるものではなく、実施段階ではその要旨を逸脱しない範囲で構成要素を変形して具体化できる。また、上記実施形態に開示されている複数の構成要素の適宜な組合せにより種々の発明を形成できる。例えば、実施形態に示される全構成要素から幾つかの構成要素を削除してもよい。更に、異なる実施形態に亘る構成要素を適宜組合せてもよい。  
【符号の説明】
【０２６９】
１０…情報管理装置、１１…バス、１２…不揮発性メモリ、１３…ＣＰＵ、１４…メインメモリ、１５…通信部、２０…第１店舗端末、３０…第２店舗端末、４０…利用者端末、５０…ネットワーク、１０１…受付部、１０２…第１登録部、１０３…第２登録部、１０４…管理部、１０５…表示処理部、１０６…格納部。
【図１】
2020003842.tif 000003
【図２】
2020003842.tif 000004
【図３】
2020003842.tif 000005
【図４】
2020003842.tif 000006
【図５】
2020003842.tif 000007
【図６】
2020003842.tif 000008
【図７】
2020003842.tif 000009
【図８】
2020003842.tif 000010
【図９】
2020003842.tif 000011
【図１０】
2020003842.tif 000012
【図１１】
2020003842.tif 000013
【図１２】
2020003842.tif 000014
【図１３】
2020003842.tif 000015
【図１４】
2020003842.tif 000016
【図１５】
2020003842.tif 000017
【図１６】
2020003842.tif 000018
【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
第１利用者によって使用される第１利用者端末と前記第１利用者が順番待ちをすることが可能な店舗に設けられる店舗端末と通信可能に接続される情報管理装置において、
前記第１利用者の前記店舗に対する順番待ちを示す第１順番待ち情報及び前記第１利用者以外の第２利用者の前記店舗に対する順番待ちを示す第２順番待ち情報を含む複数の順番待ち情報を登録する登録手段と、
前記第１利用者が前記店舗に到着するまでの時間を示す到着予定情報を前記第１利用者端末から受信する受信手段と、
前記受信された到着予定情報によって示される時間に基づいて前記第１利用者が前記店舗に到着する到着予定時刻を算出する算出手段と、
前記算出された到着予定時刻に基づいて前記登録された複数の順番待ち情報が並び替えられた結果を前記店舗端末に表示する表示処理手段と
を具備し、
前記算出された到着予定時刻が前記第１順番待ち情報によって示される順番待ちにおける入店予定時刻よりも前である場合、前記複数の順番待ち情報は、当該入店予定時刻及び前記第２順番待ち情報によって示される順番待ちにおける入店予定時刻に基づいて並び替えられ、
前記算出された到着予定時刻が前記第１順番待ち情報によって示される順番待ちにおける入店予定時刻よりも後である場合、前記複数の順番待ち情報は、当該到着予定時刻及び前記第２順番待ち情報によって示される順番待ちにおける入店予定時刻に基づいて並び替えられる
情報管理装置。
【請求項２】
前記表示処理手段は、前記登録された複数の順番待ち情報が並び替えられた結果として、当該並び替えられた複数の順番待ち情報のうちの少なくとも先頭に位置する順番待ち情報を表示する請求項１記載の情報管理装置。
【請求項３】
前記第１順番待ち情報によって示される順番待ちにおける入店予定時刻は、当該順番待ちをしている第１利用者よりも先に前記店舗に入店することになる他の利用者の順番待ちを示す順番待ち情報の数に基づいて算出される請求項１記載の情報管理装置。
【請求項４】
前記第１順番待ち情報によって示される順番待ちにおける入店予定時刻は、前記第１利用者によって指定される請求項１記載の情報管理装置。
【請求項５】
前記第２利用者によって使用される第２利用者端末と更に通信可能に接続され、
前記受信手段は、前記第２利用者が前記店舗に到着するまでの時間を示す到着予定情報を前記第２利用者端末から受信し、
前記算出手段は、前記第２利用者端末から受信された到着予定情報によって示される時間に基づいて前記第２利用者が前記店舗に到着する到着予定時刻を算出し、
前記第２順番待ち情報によって示される順番待ちにおける入店予定時刻は、前記算出された前記第２利用者が前記店舗に到着する到着予定時刻である
請求項１記載の情報管理装置。
【請求項６】
前記表示処理手段は、前記受信された到着予定情報を前記店舗端末に表示し、
前記到着予定情報によって示される時間は、時間の経過に応じて減少するように更新されて前記店舗端末に表示される
請求項１〜５のいずれか一項に記載の情報管理装置。
【請求項７】
第１利用者によって使用される第１利用者端末と前記第１利用者が順番待ちをすることが可能な店舗に設けられる店舗端末と通信可能に接続される情報管理装置において、
前記第１利用者の前記店舗に対する順番待ちを示す第１順番待ち情報及び前記第１利用者以外の第２利用者の前記店舗に対する順番待ちを示す第２順番待ち情報を含む複数の順番待ち情報を登録する登録手段と、
前記第１利用者が前記店舗に到着するまでの時間を示す到着予定情報を前記第１利用者端末から受信する受信手段と、
前記受信された到着予定情報によって示される時間に基づいて前記第１利用者が前記店舗に到着する到着予定時刻を算出する算出手段と、
前記算出された到着予定時刻及び前記第２順番待ち情報によって示される順番待ちにおける入店予定時刻に基づいて前記登録された複数の順番待ち情報が並び替えられた結果を前記店舗端末に表示する表示処理手段と
を具備し、
前記第２順番待ち情報によって示される順番待ちが前記店舗に設けられている店舗端末からの順番待ちである場合、当該第２順番待ち情報によって示される順番待ちにおける入店予定時刻は、当該順番待ちをしている第２利用者よりも先に前記店舗に入店することになる他の利用者の順番待ちを示す順番待ち情報の数に基づいて算出される
情報管理装置。
【請求項８】
第１利用者によって使用される第１利用者端末と前記第１利用者が順番待ちをすることが可能な店舗に設けられる店舗端末と通信可能に接続される情報管理装置において、
前記第１利用者の前記店舗に対する順番待ちを示す第１順番待ち情報及び前記第１利用者以外の第２利用者の前記店舗に対する順番待ちを示す第２順番待ち情報を含む複数の順番待ち情報を登録する登録手段と、
前記第１利用者が前記店舗に到着するまでの時間を示す到着予定情報を前記第１利用者端末から受信する受信手段と、
前記受信された到着予定情報によって示される時間に基づいて前記第１利用者が前記店舗に到着する到着予定時刻を算出する算出手段と、
前記算出された到着予定時刻及び前記第２順番待ち情報によって示される順番待ちにおける入店予定時刻に基づいて前記登録された複数の順番待ち情報が並び替えられた結果を前記店舗端末に表示する表示処理手段と
を具備し、
前記登録手段は、前記第２利用者によって指定された入店予定時刻を含む第２順番待ち情報を登録し、
前記第２順番待ち情報によって示される順番待ちにおける入店予定時刻は、前記第２順番待ち情報に含まれる入店予定時刻である
情報管理装置。
【請求項９】
第１利用者によって使用される利用者端末と前記第１利用者が順番待ちをすることが可能な店舗に設けられる店舗端末と通信可能に接続される情報管理装置が実行する情報管理方法であって、
前記第１利用者が前記店舗に対する順番待ちを示す第１順番待ち情報及び前記第１利用者以外の第２利用者の前記店舗に対する順番待ちを示す第２順番待ち情報を含む複数の順番待ち情報を登録するステップと、
前記第１利用者が前記店舗に到着するまでの時間を示す到着予定情報を前記利用者端末から受信するステップと、
前記受信された到着予定情報によって示される時間に基づいて前記第１利用者が前記店舗に到着する到着予定時刻を算出するステップと、
前記算出された到着予定時刻に基づいて前記登録された複数の順番待ち情報が並び替えられた結果を前記店舗端末に表示するステップと
を具備し、
前記算出された到着予定時刻が前記第１順番待ち情報によって示される順番待ちにおける入店予定時刻よりも前である場合、前記複数の順番待ち情報は、当該入店予定時刻及び前記第２順番待ち情報によって示される順番待ちにおける入店予定時刻に基づいて並び替えられ、
前記算出された到着予定時刻が前記第１順番待ち情報によって示される順番待ちにおける入店予定時刻よりも後である場合、前記複数の順番待ち情報は、当該到着予定時刻及び前記第２順番待ち情報によって示される順番待ちにおける入店予定時刻に基づいて並び替えられる
情報管理方法。
【請求項１０】
第１利用者によって使用される利用者端末と前記第１利用者が順番待ちをすることが可能な店舗に設けられる店舗端末と通信可能に接続される情報管理装置のコンピュータによって実行されるプログラムであって、
前記コンピュータに、
前記第１利用者が前記店舗に対する順番待ちを示す第１順番待ち情報及び前記第１利用者以外の第２利用者の前記店舗に対する順番待ちを示す第２順番待ち情報を含む複数の順番待ち情報を登録するステップと、
前記第１利用者が前記店舗に到着するまでの時間を示す到着予定情報を前記利用者端末から受信するステップと、
前記受信された到着予定情報によって示される時間に基づいて前記第１利用者が前記店舗に到着する到着予定時刻を算出するステップと、
前記算出された到着予定時刻に基づいて前記登録された複数の順番待ち情報が並び替えられた結果を前記店舗端末に表示するステップと
を実行させ、
前記算出された到着予定時刻が前記第１順番待ち情報によって示される順番待ちにおける入店予定時刻よりも前である場合、前記複数の順番待ち情報は、当該入店予定時刻及び前記第２順番待ち情報によって示される順番待ちにおける入店予定時刻に基づいて並び替えられ、
前記算出された到着予定時刻が前記第１順番待ち情報によって示される順番待ちにおける入店予定時刻よりも後である場合、前記複数の順番待ち情報は、当該到着予定時刻及び前記第２順番待ち情報によって示される順番待ちにおける入店予定時刻に基づいて並び替えられる
プログラム。
【手続補正２】
【補正対象書類名】明細書
【補正対象項目名】０００８
【補正方法】変更
【補正の内容】
【０００８】
本発明の１つの態様によれば、第１利用者によって使用される第１利用者端末と前記第１利用者が順番待ちをすることが可能な店舗に設けられる店舗端末と通信可能に接続される情報管理装置が提供される。前記情報管理装置は、登録手段と、受信手段と、算出手段と、表示処理手段とを具備する。前記登録手段は、前記第１利用者の前記店舗に対する順番待ちを示す第１順番待ち情報及び前記第１利用者以外の第２利用者の前記店舗に対する順番待ちを示す第２順番待ち情報を含む複数の順番待ち情報を登録する。前記受信手段は、前記第１利用者が前記店舗に到着するまでの時間を示す到着予定情報を前記第１利用者端末から受信する。前記算出手段は、前記受信された到着予定情報によって示される時間に基づいて前記第１利用者が前記店舗に到着する到着予定時刻を算出する。前記表示処理手段は、前記算出された到着予定時刻に基づいて前記登録された複数の順番待ち情報が並び替えられた結果を前記店舗端末に表示する。前記算出された到着予定時刻が前記第１順番待ち情報によって示される順番待ちにおける入店予定時刻よりも前である場合、前記複数の順番待ち情報は、当該入店予定時刻及び前記第２順番待ち情報によって示される順番待ちにおける入店予定時刻に基づいて並び替えられる。前記算出された到着予定時刻が前記第１順番待ち情報によって示される順番待ちにおける入店予定時刻よりも後である場合、前記複数の順番待ち情報は、当該到着予定時刻及び前記第２順番待ち情報によって示される順番待ちにおける入店予定時刻に基づいて並び替えられる。
【手続補正書】
【提出日】平成31年4月8日(2019.4.8)
【手続補正１】
【補正対象書類名】特許請求の範囲
【補正対象項目名】全文
【補正方法】変更
【補正の内容】
【特許請求の範囲】
【請求項１】
第１利用者によって使用される第１利用者端末と前記第１利用者が順番待ちをすることが可能な店舗に設けられる店舗端末と通信可能に接続される情報管理装置において、
前記第１利用者の前記店舗に対する順番待ちを示す第１順番待ち情報及び前記第１利用者以外の第２利用者の前記店舗に対する順番待ちを示す第２順番待ち情報を含む複数の順番待ち情報を登録する登録手段と、
前記登録された第１順番待ち情報によって示される順番待ちに関する問い合わせを前記第１利用者端末に送信する送信手段と、
前記問い合わせに対する応答として、前記第１利用者が前記店舗に到着するまでの時間を示す到着予定情報を前記第１利用者端末から受信する受信手段と、
前記受信された到着予定情報に基づいて前記登録された複数の順番待ち情報が並び替えられた結果を前記店舗端末に表示する表示処理手段と
を具備し、
前記到着予定情報によって示される時間に基づいて前記第１利用者が前記店舗に到着する到着予定時刻を算出する第１算出手段と、
前記第１順番待ち情報によって示される順番待ちをしている第１利用者よりも先に前記店舗に入店することになる他の利用者の順番待ちを示す順番待ち情報の数に基づいて入店予定時刻を算出する第２算出手段と
を更に具備し、
前記算出された到着予定時刻が前記算出された入店予定時刻よりも前である場合、前記複数の順番待ち情報は、前記算出された入店予定時刻及び前記第２順番待ち情報によって示される順番待ちにおける入店予定時刻に基づいて並び替えられ、
前記算出された到着予定時刻が前記算出された入店予定時刻よりも後である場合、前記複数の順番待ち情報は、前記算出された到着予定時刻及び前記第２順番待ち情報によって示される順番待ちにおける入店予定時刻に基づいて並び替えられる
情報管理装置。
【請求項２】
第１利用者によって使用される第１利用者端末と前記第１利用者が順番待ちをすることが可能な店舗に設けられる店舗端末と通信可能に接続される情報管理装置において、
前記第１利用者の前記店舗に対する順番待ちを示す第１順番待ち情報及び前記第１利用者以外の第２利用者の前記店舗に対する順番待ちを示す第２順番待ち情報を含む複数の順番待ち情報を登録する登録手段と、
前記登録された第１順番待ち情報によって示される順番待ちに関する問い合わせを前記第１利用者端末に送信する送信手段と、
前記問い合わせに対する応答として、前記第１利用者が前記店舗に到着するまでの時間を示す到着予定情報を前記第１利用者端末から受信する受信手段と、
前記受信された到着予定情報に基づいて前記登録された複数の順番待ち情報が並び替えられた結果を前記店舗端末に表示する表示処理手段と
を具備し、
前記到着予定情報によって示される時間に基づいて前記第１利用者が前記店舗に到着する到着予定時刻を算出する第１算出手段を更に具備し、
前記登録手段は、前記第１利用者によって指定された入店予定時刻を含む第１順番待ち情報を登録し、
前記算出された到着予定時刻が前記第１順番待ち情報に含まれる入店予定時刻よりも前である場合、前記複数の順番待ち情報は、前記第１順番待ち情報に含まれる入店予定時刻及び前記第２順番待ち情報によって示される順番待ちにおける入店予定時刻に基づいて並び替えられ、
前記算出された到着予定時刻が前記第１順番待ち情報に含まれる入店予定時刻よりも後である場合、前記複数の順番待ち情報は、前記算出された到着予定時刻及び前記第２順番待ち情報によって示される順番待ちにおける入店予定時刻に基づいて並び替えられる
情報管理装置。
【請求項３】
前記表示処理手段は、前記登録された複数の順番待ち情報が並び替えられた結果として、当該並び替えられた複数の順番待ち情報のうちの少なくとも先頭に位置する順番待ち情報を表示する請求項１または２記載の情報管理装置。
【請求項４】
前記第２利用者によって使用される第２利用者端末と更に通信可能に接続され、
前記送信手段は、前記第２順番待ち情報によって示される順番待ちが前記第２利用者によって利用される第２利用者端末からの順番待ちである場合、当該順番待ちに関する問い合わせを前記第２利用者端末に送信し、
前記受信手段は、前記第２利用者端末に送信された問い合わせに対する応答として、前記第２利用者が前記店舗に到着するまでの時間を示す到着予定情報を前記第２利用者端末から受信し、
前記第１算出手段は、前記第２利用者端末から受信された到着予定情報によって示される時間に基づいて前記第２利用者が前記店舗に到着する到着予定時刻を算出し、
前記第２順番待ち情報によって示される順番待ちにおける入店予定時刻は、前記算出された前記第２利用者が前記店舗に到着する到着予定時刻である
請求項１または２記載の情報管理装置。
【請求項５】
前記表示処理手段は、前記受信された到着予定情報を前記店舗端末に表示し、
前記到着予定情報によって示される時間は、時間の経過に応じて減少するように更新されて前記店舗端末に表示される
請求項１〜４のいずれか一項に記載の情報管理装置。
【請求項６】
第１利用者によって使用される第１利用者端末と前記第１利用者が順番待ちをすることが可能な店舗に設けられる店舗端末と通信可能に接続される情報管理装置において、
前記第１利用者の前記店舗に対する順番待ちを示す第１順番待ち情報及び前記第１利用者以外の第２利用者の前記店舗に対する順番待ちを示す第２順番待ち情報を含む複数の順番待ち情報を登録する登録手段と、
前記登録された第１順番待ち情報によって示される順番待ちに関する問い合わせを前記第１利用者端末に送信する送信手段と、
前記問い合わせに対する応答として、前記第１利用者が前記店舗に到着するまでの時間を示す到着予定情報を前記第１利用者端末から受信する受信手段と、
前記受信された到着予定情報に基づいて前記登録された複数の順番待ち情報が並び替えられた結果を前記店舗端末に表示する表示処理手段と
を具備し、
前記到着予定情報によって示される時間に基づいて前記第１利用者が前記店舗に到着する到着予定時刻を算出する第１算出手段を更に具備し、
前記複数の順番待ち情報は、前記算出された到着予定時刻及び前記第２順番待ち情報によって示される順番待ちにおける入店予定時刻に基づいて並び替えられ、
前記第２順番待ち情報によって示される順番待ちが前記店舗に設けられている店舗端末からの順番待ちである場合、当該第２順番待ち情報によって示される順番待ちにおける入店予定時刻は、当該順番待ちをしている第２利用者よりも先に前記店舗に入店することになる他の利用者の順番待ちを示す順番待ち情報の数に基づいて算出される
情報管理装置。
【請求項７】
第１利用者によって使用される第１利用者端末と前記第１利用者が順番待ちをすることが可能な店舗に設けられる店舗端末と通信可能に接続される情報管理装置において、
前記第１利用者の前記店舗に対する順番待ちを示す第１順番待ち情報及び前記第１利用者以外の第２利用者の前記店舗に対する順番待ちを示す第２順番待ち情報を含む複数の順番待ち情報を登録する登録手段と、
前記登録された第１順番待ち情報によって示される順番待ちに関する問い合わせを前記第１利用者端末に送信する送信手段と、
前記問い合わせに対する応答として、前記第１利用者が前記店舗に到着するまでの時間を示す到着予定情報を前記第１利用者端末から受信する受信手段と、
前記受信された到着予定情報に基づいて前記登録された複数の順番待ち情報が並び替えられた結果を前記店舗端末に表示する表示処理手段と
を具備し、
前記到着予定情報によって示される時間に基づいて前記第１利用者が前記店舗に到着する到着予定時刻を算出する第１算出手段を更に具備し、
前記複数の順番待ち情報は、前記算出された到着予定時刻及び前記第２順番待ち情報によって示される順番待ちにおける入店予定時刻に基づいて並び替えられ、
前記登録手段は、前記第２利用者によって指定された入店予定時刻を含む第２順番待ち情報を登録し、
前記第２順番待ち情報によって示される順番待ちにおける入店予定時刻は、前記第２順番待ち情報に含まれる入店予定時刻である
情報管理装置。
【請求項８】
第１利用者によって使用される利用者端末と前記第１利用者が順番待ちをすることが可能な店舗に設けられる店舗端末と通信可能に接続される情報管理装置が実行する情報管理方法であって、
前記第１利用者が前記店舗に対する順番待ちを示す第１順番待ち情報及び前記第１利用者以外の第２利用者の前記店舗に対する順番待ちを示す第２順番待ち情報を含む複数の順番待ち情報を登録するステップと、
前記登録された第１順番待ち情報によって示される順番待ちに関する問い合わせを前記利用者端末に送信するステップと、
前記問い合わせに対する応答として、前記第１利用者が前記店舗に到着するまでの時間を示す到着予定情報を前記利用者端末から受信するステップと、
前記受信された到着予定情報に基づいて前記登録された複数の順番待ち情報が並び替えられた結果を前記店舗端末に表示するステップと
を具備し、
前記到着予定情報によって示される時間に基づいて前記第１利用者が前記店舗に到着する到着予定時刻を算出するステップと、
前記第１順番待ち情報によって示される順番待ちをしている第１利用者よりも先に前記店舗に入店することになる他の利用者の順番待ちを示す順番待ち情報の数に基づいて入店予定時刻を算出するステップと
を更に具備し、
前記算出された到着予定時刻が前記算出された入店予定時刻よりも前である場合、前記複数の順番待ち情報は、前記算出された入店予定時刻及び前記第２順番待ち情報によって示される順番待ちにおける入店予定時刻に基づいて並び替えられ、
前記算出された到着予定時刻が前記算出された入店予定時刻よりも後である場合、前記複数の順番待ち情報は、前記算出された到着予定時刻及び前記第２順番待ち情報によって示される順番待ちにおける入店予定時刻に基づいて並び替えられる
情報管理方法。
【請求項９】
第１利用者によって使用される利用者端末と前記第１利用者が順番待ちをすることが可能な店舗に設けられる店舗端末と通信可能に接続される情報管理装置が実行する情報管理方法であって、
前記第１利用者の前記店舗に対する順番待ちを示す第１順番待ち情報及び前記第１利用者以外の第２利用者の前記店舗に対する順番待ちを示す第２順番待ち情報を含む複数の順番待ち情報を登録するステップと、
前記登録された第１順番待ち情報によって示される順番待ちに関する問い合わせを前記利用者端末に送信するステップと、
前記問い合わせに対する応答として、前記第１利用者が前記店舗に到着するまでの時間を示す到着予定情報を前記利用者端末から受信するステップと、
前記受信された到着予定情報に基づいて前記登録された複数の順番待ち情報が並び替えられた結果を前記店舗端末に表示するステップと
を具備し、
前記到着予定情報によって示される時間に基づいて前記第１利用者が前記店舗に到着する到着予定時刻を算出するステップを更に具備し、
前記登録するステップは、前記第１利用者によって指定された入店予定時刻を含む第１順番待ち情報を登録するステップを含み、
前記算出された到着予定時刻が前記第１順番待ち情報に含まれる入店予定時刻よりも前である場合、前記複数の順番待ち情報は、前記第１順番待ち情報に含まれる入店予定時刻及び前記第２順番待ち情報によって示される順番待ちにおける入店予定時刻に基づいて並び替えられ、
前記算出された到着予定時刻が前記第１順番待ち情報に含まれる入店予定時刻よりも後である場合、前記複数の順番待ち情報は、前記算出された到着予定時刻及び前記第２順番待ち情報によって示される順番待ちにおける入店予定時刻に基づいて並び替えられる
情報管理方法。
【請求項１０】
第１利用者によって使用される利用者端末と前記第１利用者が順番待ちをすることが可能な店舗に設けられる店舗端末と通信可能に接続される情報管理装置が実行する情報管理方法であって、
前記第１利用者の前記店舗に対する順番待ちを示す第１順番待ち情報及び前記第１利用者以外の第２利用者の前記店舗に対する順番待ちを示す第２順番待ち情報を含む複数の順番待ち情報を登録するステップと、
前記登録された第１順番待ち情報によって示される順番待ちに関する問い合わせを前記利用者端末に送信するステップと、
前記問い合わせに対する応答として、前記第１利用者が前記店舗に到着するまでの時間を示す到着予定情報を前記利用者端末から受信するステップと、
前記受信された到着予定情報に基づいて前記登録された複数の順番待ち情報が並び替えられた結果を前記店舗端末に表示するステップと
を具備し、
前記到着予定情報によって示される時間に基づいて前記第１利用者が前記店舗に到着する到着予定時刻を算出するステップを更に具備し、
前記複数の順番待ち情報は、前記算出された到着予定時刻及び前記第２順番待ち情報によって示される順番待ちにおける入店予定時刻に基づいて並び替えられ、
前記第２順番待ち情報によって示される順番待ちが前記店舗に設けられている店舗端末からの順番待ちである場合、当該第２順番待ち情報によって示される順番待ちにおける入店予定時刻は、当該順番待ちをしている第２利用者よりも先に前記店舗に入店することになる他の利用者の順番待ちを示す順番待ち情報の数に基づいて算出される
情報管理方法。
【請求項１１】
第１利用者によって使用される利用者端末と前記第１利用者が順番待ちをすることが可能な店舗に設けられる店舗端末と通信可能に接続される情報管理装置が実行する情報管理方法であって、
前記第１利用者の前記店舗に対する順番待ちを示す第１順番待ち情報及び前記第１利用者以外の第２利用者の前記店舗に対する順番待ちを示す第２順番待ち情報を含む複数の順番待ち情報を登録するするステップと、
前記登録された第１順番待ち情報によって示される順番待ちに関する問い合わせを前記利用者端末に送信するステップと、
前記問い合わせに対する応答として、前記第１利用者が前記店舗に到着するまでの時間を示す到着予定情報を前記利用者端末から受信するステップと、
前記受信された到着予定情報に基づいて前記登録された複数の順番待ち情報が並び替えられた結果を前記店舗端末に表示するステップと
を具備し、
前記到着予定情報によって示される時間に基づいて前記第１利用者が前記店舗に到着する到着予定時刻を算出するステップを更に具備し、
前記複数の順番待ち情報は、前記算出された到着予定時刻及び前記第２順番待ち情報によって示される順番待ちにおける入店予定時刻に基づいて並び替えられ、
前記登録するステップは、前記第２利用者によって指定された入店予定時刻を含む第２順番待ち情報を登録するステップを含み、
前記第２順番待ち情報によって示される順番待ちにおける入店予定時刻は、前記第２順番待ち情報に含まれる入店予定時刻である
情報管理方法。
【請求項１２】
第１利用者によって使用される利用者端末と前記第１利用者が順番待ちをすることが可能な店舗に設けられる店舗端末と通信可能に接続される情報管理装置のコンピュータによって実行されるプログラムであって、
前記コンピュータに、
前記第１利用者が前記店舗に対する順番待ちを示す第１順番待ち情報及び前記第１利用者以外の第２利用者の前記店舗に対する順番待ちを示す第２順番待ち情報を含む複数の順番待ち情報を登録するステップと、
前記登録された第１順番待ち情報によって示される順番待ちに関する問い合わせを前記利用者端末に送信するステップと、
前記問い合わせに対する応答として、前記第１利用者が前記店舗に到着するまでの時間を示す到着予定情報を前記利用者端末から受信するステップと、
前記受信された到着予定情報に基づいて前記登録された複数の順番待ち情報が並び替えられた結果を前記店舗端末に表示するステップと
を実行させ、
前記コンピュータに、
前記到着予定情報によって示される時間に基づいて前記第１利用者が前記店舗に到着する到着予定時刻を算出するステップと、
前記第１順番待ち情報によって示される順番待ちをしている第１利用者よりも先に前記店舗に入店することになる他の利用者の順番待ちを示す順番待ち情報の数に基づいて入店予定時刻を算出するステップと
を更に実行させ、
前記算出された到着予定時刻が前記算出された入店予定時刻よりも前である場合、前記複数の順番待ち情報は、前記算出された入店予定時刻及び前記第２順番待ち情報によって示される順番待ちにおける入店予定時刻に基づいて並び替えられ、
前記算出された到着予定時刻が前記算出された入店予定時刻よりも後である場合、前記複数の順番待ち情報は、前記算出された到着予定時刻及び前記第２順番待ち情報によって示される順番待ちにおける入店予定時刻に基づいて並び替えられる
プログラム。
【請求項１３】
第１利用者によって使用される利用者端末と前記第１利用者が順番待ちをすることが可能な店舗に設けられる店舗端末と通信可能に接続される情報管理装置のコンピュータによって実行されるプログラムであって、
前記コンピュータに、
前記第１利用者の前記店舗に対する順番待ちを示す第１順番待ち情報及び前記第１利用者以外の第２利用者の前記店舗に対する順番待ちを示す第２順番待ち情報を含む複数の順番待ち情報を登録するステップと、
前記登録された第１順番待ち情報によって示される順番待ちに関する問い合わせを前記利用者端末に送信するステップと、
前記問い合わせに対する応答として、前記第１利用者が前記店舗に到着するまでの時間を示す到着予定情報を前記利用者端末から受信するステップと、
前記受信された到着予定情報に基づいて前記登録された複数の順番待ち情報が並び替えられた結果を前記店舗端末に表示するステップと
を実行させ、
前記コンピュータに、前記到着予定情報によって示される時間に基づいて前記第１利用者が前記店舗に到着する到着予定時刻を算出するステップを更に実行させ、
前記登録するステップは、前記第１利用者によって指定された入店予定時刻を含む第１順番待ち情報を登録するステップを含み、
前記算出された到着予定時刻が前記第１順番待ち情報に含まれる入店予定時刻よりも前である場合、前記複数の順番待ち情報は、前記第１順番待ち情報に含まれる入店予定時刻及び前記第２順番待ち情報によって示される順番待ちにおける入店予定時刻に基づいて並び替えられ、
前記算出された到着予定時刻が前記第１順番待ち情報に含まれる入店予定時刻よりも後である場合、前記複数の順番待ち情報は、前記算出された到着予定時刻及び前記第２順番待ち情報によって示される順番待ちにおける入店予定時刻に基づいて並び替えられる
プログラム。
【請求項１４】
第１利用者によって使用される利用者端末と前記第１利用者が順番待ちをすることが可能な店舗に設けられる店舗端末と通信可能に接続される情報管理装置のコンピュータによって実行されるプログラムであって、
前記コンピュータに、
前記第１利用者の前記店舗に対する順番待ちを示す第１順番待ち情報及び前記第１利用者以外の第２利用者の前記店舗に対する順番待ちを示す第２順番待ち情報を含む複数の順番待ち情報を登録するステップと、
前記登録された第１順番待ち情報によって示される順番待ちに関する問い合わせを前記利用者端末に送信するステップと、
前記問い合わせに対する応答として、前記第１利用者が前記店舗に到着するまでの時間を示す到着予定情報を前記利用者端末から受信するステップと、
前記受信された到着予定情報に基づいて前記登録された複数の順番待ち情報が並び替えられた結果を前記店舗端末に表示するステップと
を実行させ、
前記コンピュータに、前記到着予定情報によって示される時間に基づいて前記第１利用者が前記店舗に到着する到着予定時刻を算出するステップを更に具備し、
前記複数の順番待ち情報は、前記算出された到着予定時刻及び前記第２順番待ち情報によって示される順番待ちにおける入店予定時刻に基づいて並び替えられ、
前記第２順番待ち情報によって示される順番待ちが前記店舗に設けられている店舗端末からの順番待ちである場合、当該第２順番待ち情報によって示される順番待ちにおける入店予定時刻は、当該順番待ちをしている第２利用者よりも先に前記店舗に入店することになる他の利用者の順番待ちを示す順番待ち情報の数に基づいて算出される
プログラム。
【請求項１５】
第１利用者によって使用される利用者端末と前記第１利用者が順番待ちをすることが可能な店舗に設けられる店舗端末と通信可能に接続される情報管理装置のコンピュータによって実行されるプログラムであって、
前記コンピュータに、
前記第１利用者の前記店舗に対する順番待ちを示す第１順番待ち情報及び前記第１利用者以外の第２利用者の前記店舗に対する順番待ちを示す第２順番待ち情報を含む複数の順番待ち情報を登録するするステップと、
前記登録された第１順番待ち情報によって示される順番待ちに関する問い合わせを前記利用者端末に送信するステップと、
前記問い合わせに対する応答として、前記第１利用者が前記店舗に到着するまでの時間を示す到着予定情報を前記利用者端末から受信するステップと、
前記受信された到着予定情報に基づいて前記登録された複数の順番待ち情報が並び替えられた結果を前記店舗端末に表示するステップと
を実行させ、
前記コンピュータに、前記到着予定情報によって示される時間に基づいて前記第１利用者が前記店舗に到着する到着予定時刻を算出するステップを更に実行させ、
前記複数の順番待ち情報は、前記算出された到着予定時刻及び前記第２順番待ち情報によって示される順番待ちにおける入店予定時刻に基づいて並び替えられ、
前記登録するステップは、前記第２利用者によって指定された入店予定時刻を含む第２順番待ち情報を登録するステップを含み、
前記第２順番待ち情報によって示される順番待ちにおける入店予定時刻は、前記第２順番待ち情報に含まれる入店予定時刻である
プログラム。
【手続補正２】
【補正対象書類名】明細書
【補正対象項目名】０００８
【補正方法】変更
【補正の内容】
【０００８】
本発明の１つの態様によれば、第１利用者によって使用される第１利用者端末と前記第１利用者が順番待ちをすることが可能な店舗に設けられる店舗端末と通信可能に接続される情報管理装置が提供される。前記情報管理装置は、登録手段と、送信手段と、受信手段と、表示処理手段とを具備する。前記登録手段は、前記第１利用者の前記店舗に対する順番待ちを示す第１順番待ち情報及び前記第１利用者以外の第２利用者の前記店舗に対する順番待ちを示す第２順番待ち情報を含む複数の順番待ち情報を登録する。前記送信手段は、前記登録された第１順番待ち情報によって示される順番待ちに関する問い合わせを前記第１利用者端末に送信する。前記受信手段は、前記問い合わせに対する応答として、前記第１利用者が前記店舗に到着するまでの時間を示す到着予定情報を前記第１利用者端末から受信する。前記表示処理手段は、前記受信された到着予定情報に基づいて前記登録された複数の順番待ち情報が並び替えられた結果を前記店舗端末に表示する。前記情報管理装置は、前記到着予定情報によって示される時間に基づいて前記第１利用者が前記店舗に到着する到着予定時刻を算出する第１算出手段と、前記第１順番待ち情報によって示される順番待ちをしている第１利用者よりも先に前記店舗に入店することになる他の利用者の順番待ちを示す順番待ち情報の数に基づいて入店予定時刻を算出する第２算出手段とを更に具備する。前記算出された到着予定時刻が前記算出された入店予定時刻よりも前である場合、前記複数の順番待ち情報は、前記算出された入店予定時刻及び前記第２順番待ち情報によって示される順番待ちにおける入店予定時刻に基づいて並び替えられる。前記算出された到着予定時刻が前記算出された入店予定時刻よりも後である場合、前記複数の順番待ち情報は、前記算出された到着予定時刻及び前記第２順番待ち情報によって示される順番待ちにおける入店予定時刻に基づいて並び替えられる。